(57)【要約】  本出願の実施例は通信方法、コアネットワーク装置、アクセスネットワーク装置、端末装置と通信システムを提供する。該通信方法は、コアネットワーク装置が端末装置がアクセスしたことのある少なくとも一つのアクセスネットワーク装置を含むアクセスネットワーク装置セットを確定することと、該コアネットワーク装置が該アクセスネットワーク装置セットの各アクセスネットワーク装置と該端末装置のためのネットワーク接続を確立することとを含む。本出願の技術的解決策では、アクセスネットワーク装置セットの各アクセスネットワーク装置は端末装置のためのネットワーク接続を予め確立し、これにより、端末装置の該少なくとも一つのアクセスネットワーク装置のカバレッジ内での移動における通信遅延を節約する。
2019523570.tif 000002
【特許請求の範囲】
【請求項１】
通信方法であって、
コアネットワーク装置が端末装置がアクセスしたことのある少なくとも一つのアクセスネットワーク装置を含むアクセスネットワーク装置セットを確定することと、
前記コアネットワーク装置が前記アクセスネットワーク装置セットの各アクセスネットワーク装置と前記端末装置のためのネットワーク接続を確立することとを含む、前記通信方法。
【請求項２】
前記コアネットワーク装置が前記アクセスネットワーク装置セットの各アクセスネットワーク装置と前記端末装置のためのネットワーク接続を確立することは、
前記コアネットワーク装置が前記各アクセスネットワーク装置へネットワーク接続リクエストメッセージを送信し、前記各アクセスネットワーク装置が前記ネットワーク接続リクエストメッセージに基づいて前記端末装置のための前記ネットワーク接続を確立するようにすることを含むことを特徴とする
請求項１に記載の通信方法。
【請求項３】
前記通信方法はさらに、
前記コアネットワーク装置が前記各アクセスネットワーク装置へコンテキスト情報を送信し、前記端末装置が前記コンテキスト情報によってネットワークと通信を行うようにすることを含むことを特徴とする
請求項１又は２に記載の通信方法。
【請求項４】
前記コアネットワーク装置がアクセスネットワーク装置セットを確定することは、
前記コアネットワーク装置が前記端末装置のアクセス履歴情報又はサブスクリプション情報を取得することと、
前記コアネットワーク装置が前記アクセス履歴情報又は前記サブスクリプション情報に基づき、前記アクセスネットワーク装置セットを確定することとを含むことを特徴とする
請求項１−３のいずれか一項に記載の通信方法。
【請求項５】
前記コアネットワーク装置が前記端末装置のアクセス履歴情報又はサブスクリプション情報を取得することは、
前記コアネットワーク装置が前記端末装置から送信された前記アクセス履歴情報又は前記サブスクリプション情報を受信することを含むことを特徴とする
請求項４に記載の通信方法。
【請求項６】
前記コアネットワーク装置が前記端末装置のアクセス履歴情報を取得することは、
前記コアネットワーク装置が前記端末装置のアクセスしているアクセスネットワーク装置から送信された前記アクセス履歴情報を受信することを含むことを特徴とする
請求項４に記載の通信方法。
【請求項７】
前記コアネットワーク装置が前記端末装置のアクセス履歴情報を取得することは、
前記コアネットワーク装置が前記端末装置の位置情報を取得することと、
前記コアネットワーク装置がネットワークトポロジダイアグラムと前記端末装置の位置情報に基づき、前記アクセス履歴情報を確定することとを含むことを特徴とする
請求項４に記載の通信方法。
【請求項８】
前記アクセス履歴情報がアクセスネットワーク装置のネットワーク統計情報を含み、
ここで、前記コアネットワーク装置が前記アクセス履歴情報に基づき、前記アクセスネットワーク装置セットを確定することは、
前記コアネットワーク装置が前記ネットワーク統計情報に基づき、前記アクセスネットワーク装置セットを確定することを含むことを特徴とする
請求項４−７のいずれか一項に記載の通信方法。
【請求項９】
前記ネットワーク統計情報はアクセスネットワーク情報を含むことを特徴とする
請求項８に記載の通信方法。
【請求項１０】
前記ネットワーク統計情報はさらに時間長情報及び／又はサービスタイプ情報を含むことを特徴とする
請求項９に記載の通信方法。
【請求項１１】
前記サブスクリプション情報は位置エリア情報を含み、
ここで、前記コアネットワーク装置が前記サブスクリプション情報に基づき、前記アクセスネットワーク装置セットを確定することは、
前記コアネットワーク装置が前記位置エリア情報に基づき、前記アクセスネットワーク装置セットを確定することを含むことを特徴とする
請求項４又は５に記載の通信方法。
【請求項１２】
前記サブスクリプション情報はさらにサービスタイプ情報及び／又は時間情報を含み、
ここで、前記コアネットワーク装置が前記位置エリア情報に基づき、前記アクセスネットワーク装置セットを確定することは、
前記コアネットワーク装置が前記位置エリア情報及びサービスタイプ情報及び／又は時間情報に基づき、前記アクセスネットワーク装置セットを確定することを含むことを特徴とする
請求項１１に記載の通信方法。
【請求項１３】
通信方法であって、
アクセスネットワーク装置がコアネットワーク装置からアクセスネットワーク装置セットの各アクセスネットワーク装置に送信されたネットワーク接続リクエストメッセージを受信し、前記アクセスネットワーク装置セットが端末装置がアクセスしたことのある少なくとも一つのアクセスネットワーク装置を含むことと、
前記アクセスネットワーク装置が前記ネットワーク接続リクエストメッセージに基づき、前記端末装置のためのネットワーク接続を確立することとを含む、前記通信方法。
【請求項１４】
前記通信方法はさらに、
前記アクセスネットワーク装置がコンテキスト情報を受信し、前記端末装置が前記コンテキスト情報によってネットワークと通信を行うようにすることを含むことを特徴とする
請求項１３に記載の通信方法。
【請求項１５】
通信方法であって、
端末装置が前記端末装置のアクセス履歴情報又はサブスクリプション情報を取得することと、
前記端末装置がコアネットワーク装置へ前記アクセス履歴情報又は前記サブスクリプション情報を送信し、前記コアネットワーク装置が前記アクセス履歴情報又は前記サブスクリプション情報に基づいてアクセスネットワーク装置セットを確定し、且つ前記アクセスネットワーク装置セットの各アクセスネットワーク装置と前記端末装置のためのネットワーク接続を確立するようにし、ここで、前記アクセスネットワーク装置セットが前記端末装置がアクセスしたことのある少なくとも一つのアクセスネットワーク装置を含むこととを含む、前記通信方法。
【請求項１６】
前記通信方法はさらに、
前記端末装置が前記アクセスネットワーク装置セットの第一のアクセスネットワーク装置によって受信されたコンテキスト情報によってネットワークと通信を行うことを含むことを特徴とする
請求項１５に記載の通信方法。
【請求項１７】
前記端末装置がコアネットワーク装置へ前記アクセス履歴情報又は前記サブスクリプション情報を送信することは、
前記端末装置が前記端末装置のアクセスしているアクセスネットワーク装置を介して前記コアネットワーク装置へ前記アクセス履歴情報又は前記サブスクリプション情報を送信することを含むことを特徴とする
請求項１５又は１６に記載の通信方法。
【請求項１８】
前記アクセス履歴情報はアクセスネットワーク装置のネットワーク統計情報を含むことを特徴とする
請求項１５−１７のいずれか一項に記載の通信方法。
【請求項１９】
前記端末装置がコアネットワーク装置へ前記アクセス履歴情報を送信することは、
前記端末装置が前記コアネットワーク装置へ非アクセス層（ＮＡＳ）層シグナリングリクエストメッセージを送信し、前記ＮＡＳ層シグナリングリクエストメッセージに前記アクセス履歴情報が含まれることを含むことを特徴とする
請求項１８に記載の通信方法。
【請求項２０】
前記ネットワーク統計情報はアクセスネットワーク情報を含むことを特徴とする
請求項１８又は１９に記載の通信方法。
【請求項２１】
前記ネットワーク統計情報はさらに時間長情報及び／又はサービスタイプ情報を含むことを特徴とする
請求項１８−２０のいずれか一項に記載の通信方法。
【請求項２２】
前記サブスクリプション情報は位置エリア情報を含むことを特徴とする
請求項１５−１７のいずれか一項に記載の通信方法。
【請求項２３】
前記端末装置がコアネットワーク装置へ前記サブスクリプション情報を送信することは、
前記端末装置がエリア更新リクエストメッセージ、ＮＡＳ層シグナリングリクエストメッセージ又はアタッチリクエストメッセージによって前記コアネットワーク装置へ前記サブスクリプション情報を送信することを含むことを特徴とする
請求項２２に記載の通信方法。
【請求項２４】
前記サブスクリプション情報はさらにサービスタイプ情報及び／又は時間情報を含むことを特徴とする
請求項２２又は２３に記載の通信方法。
【請求項２５】
コアネットワーク装置であって、
端末装置がアクセスしたことのある少なくとも一つのアクセスネットワーク装置を含むアクセスネットワーク装置セットを確定するように構成される確定モジュールと、
前記確定モジュールによって確定された前記アクセスネットワーク装置セットの各アクセスネットワーク装置と前記端末装置のためのネットワーク接続を確立するように構成される処理モジュールとを備える、コアネットワーク装置。
【請求項２６】
前記処理モジュールは具体的に、
前記各アクセスネットワーク装置へネットワーク接続リクエストメッセージを送信し、前記各アクセスネットワーク装置が前記ネットワーク接続リクエストメッセージに基づいて前記端末装置のための前記ネットワーク接続を確立するようにするように構成されることを特徴とする
請求項２５に記載のコアネットワーク装置。
【請求項２７】
前記コアネットワーク装置はさらに、
前記各アクセスネットワーク装置へコンテキスト情報を送信し、前記端末装置が前記コンテキスト情報によってネットワークと通信を行うようにするように構成される送信モジュールを備えることを特徴とする
請求項２５又は２６に記載のコアネットワーク装置。
【請求項２８】
前記確定モジュールは具体的に、
前記端末装置のアクセス履歴情報又はサブスクリプション情報を取得するように構成される取得ユニットと、
前記アクセス履歴情報又は前記サブスクリプション情報に基づき、前記アクセスネットワーク装置セットを確定するように構成される確定ユニットとを含むことを特徴とする
請求項２５−２７のいずれか一項に記載のコアネットワーク装置。
【請求項２９】
前記取得ユニットは具体的に、
前記端末装置から送信された前記アクセス履歴情報又は前記サブスクリプション情報を受信するように構成されることを特徴とする
請求項２８に記載のコアネットワーク装置。
【請求項３０】
前記取得ユニットは具体的に、
前記端末装置がアクセスしているアクセスネットワーク装置から送信された前記アクセス履歴情報を受信するように構成されることを特徴とする
請求項２９に記載のコアネットワーク装置。
【請求項３１】
前記取得ユニットは具体的に、
前記端末装置の位置情報を取得し、
ネットワークトポロジダイアグラムと前記端末装置の位置情報に基づき、前記アクセス履歴情報を確定するように構成されることを特徴とする
請求項３０に記載のコアネットワーク装置。
【請求項３２】
前記アクセス履歴情報がアクセスネットワーク装置のネットワーク統計情報を含み、
ここで、前記確定ユニットは具体的に、
前記ネットワーク統計情報に基づき、前記アクセスネットワーク装置セットを確定するように構成されることを特徴とする
請求項２８−３１のいずれか一項に記載のコアネットワーク装置。
【請求項３３】
前記ネットワーク統計情報はアクセスネットワーク情報を含むことを特徴とする
請求項３２に記載のコアネットワーク装置。
【請求項３４】
前記ネットワーク統計情報はさらに時間長情報及び／又はサービスタイプ情報を含むことを特徴とする
請求項３３に記載のコアネットワーク装置。
【請求項３５】
前記サブスクリプション情報は位置エリア情報を含み、
ここで、前記確定ユニットは具体的に、
前記位置エリア情報に基づき、前記アクセスネットワーク装置セットを確定するように構成されることを特徴とする
請求項２８又は２９に記載のコアネットワーク装置。
【請求項３６】
前記サブスクリプション情報はさらにサービスタイプ情報及び／又は時間情報を含み、
ここで、前記確定ユニットは具体的に、
前記位置エリア情報及びサービスタイプ情報及び／又は時間情報に基づき、前記アクセスネットワーク装置セットを確定するように構成されることを特徴とする
請求項３５に記載のコアネットワーク装置。
【請求項３７】
アクセスネットワーク装置であって、
コアネットワーク装置からアクセスネットワーク装置セットの各アクセスネットワーク装置に送信されたネットワーク接続リクエストメッセージを受信するように構成され、前記アクセスネットワーク装置セットが端末装置がアクセスしたことのある少なくとも一つのアクセスネットワーク装置を含む第一の受信モジュールと、
前記第一の受信モジュールによって受信された前記ネットワーク接続リクエストメッセージに基づき、前記端末装置のためのネットワーク接続を確立するように構成される処理モジュールとを備える、前記アクセスネットワーク装置。
【請求項３８】
前記アクセスネットワーク装置はさらに、
コンテキスト情報を受信し、前記端末装置が前記コンテキスト情報によってネットワークと通信を行うようにするように構成される第二の受信モジュールを備えることを特徴とする
請求項３７に記載のアクセスネットワーク装置。
【請求項３９】
端末装置であって、
前記端末装置のアクセス履歴情報又はサブスクリプション情報を取得するように構成される取得モジュールと、
前記取得モジュールによって取得された前記アクセス履歴情報又は前記サブスクリプション情報をコアネットワーク装置に送信し、前記コアネットワーク装置が前記アクセス履歴情報又は前記サブスクリプション情報に基づいて前記アクセスネットワーク装置セットを確定し、且つ前記アクセスネットワーク装置セットの各アクセスネットワーク装置と前記端末装置のためのネットワーク接続を確立するようにするように構成され、ここで、前記アクセスネットワーク装置セットが前記端末装置がアクセスしたことのある少なくとも一つのアクセスネットワーク装置を含む送信モジュールとを備える、前記端末装置。
【請求項４０】
前記端末装置はさらに、
前記アクセスネットワーク装置セットの第一のアクセスネットワーク装置によって受信されたコンテキスト情報によってネットワークと通信を行うように構成される処理モジュールを備えることを特徴とする
請求項３９に記載の端末装置。
【請求項４１】
前記送信モジュールは具体的に、
前記端末装置がアクセスしているアクセスネットワーク装置を介して前記コアネットワーク装置へ前記アクセス履歴情報又は前記サブスクリプション情報を送信するように構成されることを特徴とする
請求項３９又は４０に記載の端末装置。
【請求項４２】
前記アクセス履歴情報はアクセスネットワーク装置のネットワーク統計情報を含むことを特徴とする
請求項３９−４１のいずれか一項に記載の端末装置。
【請求項４３】
前記送信モジュールは具体的に、
前記コアネットワーク装置へ非アクセス層（ＮＡＳ）層シグナリングリクエストメッセージを送信するように構成され、前記ＮＡＳ層シグナリングリクエストメッセージに前記アクセス履歴情報が含まれることを特徴とする
請求項４２に記載の端末装置。
【請求項４４】
前記ネットワーク統計情報はアクセスネットワーク情報を含むことを特徴とする
請求項４２又は４３に記載の端末装置。
【請求項４５】
前記ネットワーク統計情報はさらに時間長情報及び／又はサービスタイプ情報を含むことを特徴とする
請求項４２−４４のいずれか一項に記載の端末装置。
【請求項４６】
前記サブスクリプション情報は位置エリア情報を含むことを特徴とする
請求項３９−４１のいずれか一項に記載の端末装置。
【請求項４７】
。
前記送信モジュールは具体的に、
エリア更新リクエストメッセージ、ＮＡＳ層シグナリングリクエストメッセージ又はアタッチリクエストメッセージによって前記コアネットワーク装置へ前記サブスクリプション情報を送信するように構成されることを特徴とする
請求項４６に記載の端末装置。
【請求項４８】
前記サブスクリプション情報はさらにサービスタイプ情報及び／又は時間情報を含むことを特徴とする
請求項４６又は４７に記載の端末装置。
【発明の詳細な説明】
【技術分野】
【０００１】
本出願は通信分野に関し、且つより具体的には、通信方法、コアネットワーク装置、アクセスネットワーク装置、端末装置と通信システムに関する。
【背景技術】
【０００２】
長期進化型（ＬＴＥ：Ｌｏｎｇ  Ｔｅｒｍ  Ｅｖｏｌｕｔｉｏｎ）システムでは、端末装置がサービングセルの属する基地局と接続を確立した後、ネットワークは該端末装置に対応するＳ１インタフェース接続を確立し、それに応じて確立された端末ベアラなどの情報を含むコンテキストを確立する。この後に、端末装置が基地局との接続さえ維持すれば、該端末に対応するＳ１インタフェース接続及びコンテキストがずっと接続に維持される。端末装置が異なるセル間でハンドオーバーする場合、元のセルから該端末装置のコンテキスト情報を取得する必要があり、そしてターゲットセルの属する基地局で対応するＳ１インタフェース接続を確立し、端末装置のコンテキストを確立する。
【０００３】
したがって、従来技術では、端末装置が移動する時に、まず基地局のハンドオーバーを行い、元のセルから端末装置のコンテキスト情報を取得し、データを送信する必要がある場合、ターゲットセルによって端末装置に対応するＳ１インタフェース接続及び端末装置のコンテキストを確立し、これにより、端末装置が移動した後、データの送信遅延が長い。
【発明の概要】
【発明が解決しようとする課題】
【０００４】
本出願の実施例は、端末装置が移動した後、通信遅延を短縮することができる、通信方法、コアネットワーク装置、アクセスネットワーク装置、端末層装置と通信システムを提供する。
【課題を解決するための手段】
【０００５】
第一の態様では、通信方法が提供される。該通信方法は、
コアネットワーク装置が端末装置がアクセスしたことのある少なくとも一つのアクセスネットワーク装置を含むアクセスネットワーク装置セットを確定することと、
該コアネットワーク装置が該アクセスネットワーク装置セットの各アクセスネットワーク装置と該端末装置のためのネットワーク接続を確立することとを含む。
【０００６】
コアネットワーク装置は、端末装置がアクセスしたことのある少なくとも一つのアクセスネットワーク装置からなるアクセスネットワーク装置セットを確定し、ここでのコアネットワーク装置は端末装置が現在アクセスしているコアネットワーク装置である。コアネットワーク装置がアクセスネットワーク装置セットの各アクセスネットワーク装置と該端末装置のためのネットワーク接続を確立し、このようしてアクセスネットワーク装置セットの各アクセスネットワーク装置が端末装置のためのネットワーク接続を予め確立し、これにより、端末装置の該少なくとも一つのアクセスネットワーク装置のカバレッジ内での移動における通信遅延を節約する。
【０００７】
いくつかの可能な実施形態では、該コアネットワーク装置が該アクセスネットワーク装置セットの各アクセスネットワーク装置とネットワーク接続を確立することは、
該コアネットワーク装置が該アクセスネットワーク装置セットの各アクセスネットワーク装置へネットワーク接続リクエストメッセージを送信し、該ネットワーク接続リクエストメッセージが該端末装置のためのネットワーク接続を確立することに用いられることを含む。
【０００８】
コアネットワーク装置はアクセスネットワーク装置セットの各アクセスネットワーク装置へネットワーク接続リクエストメッセージを送信することができ、これにより、該アクセスネットワーク装置セットの各アクセスネットワーク装置は該ネットワーク接続リクエストメッセージに基づいて該端末装置のためのネットワーク接続を確立し、本発明はこれに限定されない。このようにしてアクセスネットワーク装置セットの各アクセスネットワーク装置が端末装置のためのネットワーク接続を予め確立し、これにより、端末装置の該少なくとも一つのアクセスネットワーク装置のカバレッジ内での移動における通信遅延を節約する。
【０００９】
理解すべきものとして、該端末装置のためのネットワーク接続を確立することは、コアネットワーク装置によってネットワーク接続リクエストメッセージを開始して実現されてもよいし、アクセスネットワーク装置によってリクエストなどを開始して実現されてもよく、本発明はこれに限定されない。
【００１０】
いくつかの可能な実施形態では、該通信方法はさらに、
該コアネットワーク装置が該各アクセスネットワーク装置へコンテキスト情報を送信し、該端末装置が該コンテキスト情報によってネットワークと通信を行うようにすることを含む。
【００１１】
コアネットワーク装置がアクセスネットワーク装置セットの各アクセスネットワーク装置へコンテキスト情報を送信し、該コンテキスト情報が、端末装置がサービス接続を開始する時に、現在アクセスしているアクセスネットワーク装置が該端末装置のために設定したものであり、該コンテキスト情報をネットワーク接続リクエストメッセージに含ませてコアネットワーク装置に送信してもよく、又は他の方式によってコアネットワーク装置に送信してもよく、本発明はこれに限定されない。アクセスネットワーク装置セットの各アクセスネットワーク装置はいずれも該コンテキスト情報を受信し、記憶することができる。端末装置が移動してから、第一のアクセスネットワーク装置（即ちアクセスネットワーク装置セットのいずれかのアクセスネットワーク装置）にアクセスする場合、端末装置は該第一のアクセスネットワーク装置に記憶されたコンテキスト情報によってネットワークと通信を行うことができる。該ネットワークはアクセスネットワークであってもよく、又は他のネットワークなどであってもよく、本発明はこれに限定されない。これにより、端末装置は該少なくとも一つのアクセスネットワーク装置のカバレッジ内でシームレスに移動することができ、それによって通信遅延を節約する。
【００１２】
いくつかの可能な実施形態では、該コアネットワーク装置がアクセスネットワーク装置セットを確定することは、
該コアネットワーク装置が該端末装置のアクセス履歴情報又はサブスクリプション情報を取得することと、
該コアネットワーク装置が該アクセス履歴情報又は該サブスクリプション情報に基づき、該アクセスネットワーク装置セットを確定することとを含む。
【００１３】
コアネットワーク装置は端末装置のアクセス履歴情報又はサブスクリプション情報を取得し、且つ該アクセス履歴情報又はサブスクリプション情報に基づき、該アクセスネットワーク装置セットにどのアクセスネットワーク装置が含まれるかを確定する。即ち、コアネットワーク装置は該アクセス履歴情報又はサブスクリプション情報に基づき、端末装置がどの端末装置に習慣的にアクセスするかを確定する。コアネットワーク装置は端末装置のアクセス履歴情報又はサブスクリプション情報、又は他の情報に基づき、該アクセスネットワーク装置セットを確定することができ、又は、他の装置は該アクセスネットワーク装置セットを確定して指示情報などによってコアネットワーク装置などに通知することもでき、これにより、コアネットワーク装置は端末装置がアクセスしたことのあるアクセスネットワーク装置セットを確定することができ、本発明はこれに限定されない。
【００１４】
いくつかの可能な実施形態では、該コアネットワーク装置が該端末装置のアクセス履歴情報又はサブスクリプション情報を取得することは、
該コアネットワーク装置が該端末装置から送信された該アクセス履歴情報又は該サブスクリプション情報を受信することを含む。
【００１５】
コアネットワーク装置は端末装置から送信されたアクセス履歴情報又はサブスクリプション情報を直接受信することができる。例えば、端末装置はコアネットワーク装置へ非アクセス層（ＮＡＳ）層シグナリングリクエストメッセージを送信する時に、該シグナリングリクエストメッセージに該アクセス履歴情報を含ませる。又は、コアネットワーク装置は、端末装置がアタッチプロセス又はコアネットワーク装置に管理されたエリア更新プロセスで、又はサービスリクエストを開始してＮＡＳシグナリング接続などを確立するのに送信する様々なメッセージに含まれるサブスクリプション情報を受信し、本発明はこれに限定されない。
【００１６】
いくつかの可能な実施形態では、該コアネットワーク装置が該端末装置のアクセス履歴情報を取得することは、
該コアネットワーク装置が該端末装置のアクセスしているアクセスネットワーク装置から送信された該アクセス履歴情報を受信することを含む。
【００１７】
コアネットワーク装置は端末装置が現在アクセスしているアクセスネットワーク装置により転送されたアクセス履歴情報を受信することもでき、例えば、端末装置とアクセスネットワーク装置の間にはシグナリング接続を確立し、端末装置は現在アクセスしているアクセスネットワーク装置へアクセス履歴情報を送信し、且つアクセスネットワーク装置がコアネットワーク装置へサービス接続確立リクエストを開始する時に、該アクセス履歴情報をコアネットワーク装置に報告し、本発明はこれに限定されない。
【００１８】
いくつかの実施形態では、該コアネットワーク装置が該端末装置のアクセス履歴情報を取得することは、
該コアネットワーク装置が該端末装置の位置情報を取得することと、
該コアネットワーク装置がネットワークトポロジダイアグラムと該端末装置の位置情報に基づき、該アクセス履歴情報を確定することとを含む。
【００１９】
コアネットワーク装置は測位サーバから各時点又は期間における端末装置の位置情報を取得し、且つ該位置情報とアクセスネットワークのネットワークトポロジダイアグラムに基づき、端末装置のアクセス履歴情報を確定することができる。
【００２０】
いくつかの可能な実施形態では、該アクセス履歴情報がアクセスネットワーク装置のネットワーク統計情報を含み、
ここで、該コアネットワーク装置が該アクセス履歴情報に基づき、該アクセスネットワーク装置セットを確定することは、
該コアネットワーク装置が該ネットワーク統計情報に基づき、該アクセスネットワーク装置セットを確定することを含む。
【００２１】
コアネットワーク装置は端末装置のアクセス履歴情報に基づき、どのアクセスネットワーク装置が端末装置の習慣的に滞在するアクセスネットワーク装置であるかを確定する。即ち、コアネットワーク装置は、端末装置が次にどのアクセスネットワーク装置にアクセスし得るかを確定し、且つ該端末装置のためのネットワーク接続を予め確立することができ、それによって通信遅延を節約する。
【００２２】
いくつかの実施形態では、該ネットワーク統計情報はアクセスネットワーク情報を含む。
【００２３】
アクセス履歴情報は端末装置が以前滞在していたアクセスネットワーク装置のＩＤ、又は端末装置がアクセスしたことのあるアクセスネットワーク装置を示すことができる他の情報などであってもよく、本発明はこれに限定されない。コアネットワーク装置は該アクセス履歴情報に含まれるＩＤに基づいてアクセスネットワーク装置セット１を確定する。これにより、コアネットワーク装置は端末装置の滞在していた各アクセスネットワーク装置へコンテキスト情報を送信し、アクセスネットワーク装置セット１の各アクセスネットワーク装置が端末装置のためのネットワーク接続及びコンテキストを予め確立するようにする。
【００２４】
いくつかの可能な実施形態では、該ネットワーク統計情報はさらに時間長情報及び／又はサービスタイプ情報を含む。
【００２５】
ネットワーク統計情報はさらに時間長情報及び／又はサービスタイプ情報を含む。即ち、アクセス履歴情報は端末装置があるアクセスネットワーク装置に滞在した時間長情報を含むことができる。このようにして、コアネットワーク装置は端末装置が各アクセスネットワーク装置に滞在した時間長情報に基づき、アクセスネットワーク装置の優先度を確定することができ、例えば、一つの時間閾値を設定し、端末装置が時間閾値を超えるアクセスネットワーク装置を該アクセスネットワーク装置セットのアクセスネットワーク装置として確定し、それによって端末装置が長時間滞在した（即ち端末装置が習慣的に滞在する）少なくとも一つのアクセスネットワーク装置をアクセスネットワーク装置セット２として確定することができる。ここでのアクセスネットワーク装置セット２はアクセスネットワーク装置セット１のサブセットであり、ＩＤのみに基づいてアクセスネットワーク装置セットを確定することに比べ、本発明の実施例はアクセスネットワーク装置セットのアクセスネットワーク装置の数をさらに減らすことができ、端末装置が滞在する回数が少ない第一のアクセスネットワークが端末装置のためのコンテキスト情報を確立することを回避し、リソース浪費を減少する。
【００２６】
又は、該アクセス履歴情報はさらに端末装置があるアクセスネットワーク装置に滞在して行ったサービスタイプを含むことができる。このようにして、コアネットワーク装置は端末装置が現在開始しているサービスタイプに応じて、アクセスネットワーク装置の優先度を確定し、それによって端末装置が対応するサービスタイプを開始し、習慣的に滞在する少なくとも一つのアクセスネットワーク装置をアクセスネットワーク装置セット３として確定することができ、ここでのアクセスネットワーク装置セット３はアクセスネットワーク装置セット１のサブセットであり、本発明の実施例はアクセスネットワーク装置セットのアクセスネットワーク装置の個数を減少することができ、端末装置が滞在した回数が少ない第一のアクセスネットワークが端末装置のためのコンテキスト情報を確立することを回避し、リソースを節約する。
【００２７】
いくつかの可能な実施形態では、該サブスクリプション情報は位置エリア情報を含み、
ここで、該コアネットワーク装置が該サブスクリプション情報に基づき、該アクセスネットワーク装置セットを確定することは、
該コアネットワーク装置が該位置エリア情報に基づき、該アクセスネットワーク装置セットを確定することを含む。
【００２８】
該サブスクリプション情報は該端末装置と関連するエリア情報を含む。端末装置の地理的位置がアクセスネットワーク装置のカバレッジに対応するので、コアネットワーク装置は該位置エリア情報に基づき、端末装置が滞在していたアクセスネットワーク装置を確定し、且つ該端末装置が滞在していた少なくとも一つのアクセスネットワーク装置をアクセスネットワーク装置セット５として確定することができる。
【００２９】
いくつかの可能な実施形態では、該サブスクリプション情報はさらにサービスタイプ情報及び／又は時間情報を含み、
ここで、該コアネットワーク装置が該位置エリア情報に基づき、該アクセスネットワーク装置セットを確定することは、
該コアネットワーク装置が該位置エリア情報及びサービスタイプ情報及び／又は時間情報に基づき、該アクセスネットワーク装置セットを確定することを含む。
【００３０】
サブスクリプション情報はさらにＵＥの各サービスとエリアとの対応関係、即ち異なるサービスタイプとエリアとの対応関係を含むことができる。サブスクリプション情報はさらに異なる時点又は期間における端末装置とエリアとの対応関係を含むことができる。コアネットワーク装置は現在の時点又は期間に基づき、端末装置の習慣的に滞在するアクセスネットワーク装置を確定し、且つアクセスネットワーク装置の優先度を設定し、それによって優先度が高い少なくとも一つのアクセスネットワーク装置をアクセスネットワーク装置セット６として確定し、ここでのアクセスネットワーク装置セット６はアクセスネットワーク装置セット５のサブセットである。
【００３１】
第二の態様では、通信方法が提供される。該通信方法は、
アクセスネットワーク装置がコアネットワーク装置からアクセスネットワーク装置セットの各アクセスネットワーク装置に送信されたネットワーク接続リクエストメッセージを受信し、該アクセスネットワーク装置セットが端末装置がアクセスしたことのある少なくとも一つのアクセスネットワーク装置を含むことと、
該アクセスネットワーク装置が該ネットワーク接続リクエストメッセージに基づき、該端末装置のためのネットワーク接続を確立することとを含む。
【００３２】
アクセスネットワーク装置はコアネットワーク装置から送信されたネットワーク接続リクエストメッセージを受信し、且つコアネットワーク装置はアクセスネットワーク装置セットの各アクセスネットワーク装置へネットワーク接続リクエストメッセージを送信する。アクセスネットワーク装置は該ネットワーク接続リクエストメッセージに基づき、該端末装置のためのネットワーク接続を予め確立する。
【００３３】
いくつかの可能な実施形態では、該通信方法はさらに、
該アクセスネットワーク装置がコンテキスト情報を受信し、該端末装置が該コンテキスト情報によってネットワークと通信を行うようにすることを含む。
【００３４】
該コンテキスト情報は、端末装置がサービス接続を開始する時に、現在のアクセスしているアクセスネットワーク装置が該端末装置のために設定したものである。該コンテキスト情報は該ネットワーク接続リクエストメッセージに含まれ、コアネットワーク装置に送信されてもよく、又は他の方式によってコアネットワーク装置に送信され、コアネットワーク装置によってアクセスネットワーク装置セットの各アクセスネットワーク装置に送信されてもよく、又は現在のアクセスしているアクセスネットワーク装置によってアクセスネットワーク装置セットを知った後にアクセスネットワーク装置セットのアクセスネットワーク装置に直接送信されてもよく、本発明はこれに限定されない。アクセスネットワーク装置セットの各アクセスネットワーク装置は該コンテキスト情報を受信し、記憶することができる。該端末装置が移動し、第一のアクセスネットワーク装置（即ちアクセスネットワーク装置セットのいずれかのアクセスネットワーク装置）にアクセスした場合、端末装置は該第一のアクセスネットワーク装置に記憶されたコンテキスト情報によってネットワークと通信を行うことができる。該ネットワークはアクセスネットワークであっても良く、又は他のネットワークなどであってもよく、本発明はこれに限定されない。これにより、端末装置は該少なくとも一つのアクセスネットワーク装置のカバレッジ内でシームレスに移動することができ、それによって通信遅延を節約する。
【００３５】
第三の態様では、通信方法が提供される。該通信方法は、
端末装置が該端末装置のアクセス履歴情報又はサブスクリプション情報を取得することと、
該端末装置がコアネットワーク装置へ該アクセス履歴情報又は該サブスクリプション情報を送信し、該コアネットワーク装置が該アクセス履歴情報又は該サブスクリプション情報に基づいて該アクセスネットワーク装置セットを確定し且つ該アクセスネットワーク装置セットの各アクセスネットワーク装置と該端末装置のためのネットワーク接続を確立するようにし、ここで、該アクセスネットワーク装置セットが該端末装置がアクセスしたことのある少なくとも一つのアクセスネットワーク装置を含むこととを含む。
【００３６】
端末装置はアクセス履歴情報又はサブスクリプション情報を取得し、該履歴情報又はサブスクリプション情報が、端末装置が以前に滞在していた少なくとも一つのアクセスネットワーク装置からなるアクセスネットワーク装置セットを確定することを示すことに用いられる。端末装置はコアネットワーク装置へアクセス履歴情報又はサブスクリプション情報を送信し、これにより、コアネットワーク装置は該アクセス履歴情報又はサブスクリプション情報に基づいてアクセスネットワーク装置セットを確定し、且つ該アクセスネットワーク装置セットの各アクセスネットワーク装置と端末装置のためのネットワーク接続を確立し、即ち端末装置のためのネットワーク接続を予め確立し、それによって端末装置の該少なくとも一つのアクセスネットワーク装置のカバレッジ内での移動における通信遅延を節約する。
【００３７】
いくつかの可能な実施形態では、該通信方法はさらに、
該端末装置が該アクセスネットワーク装置セットの第一のアクセスネットワーク装置によって受信されたコンテキスト情報によってネットワークと通信を行うことを含む。
【００３８】
該コンテキスト情報は端末装置がサービス接続を開始する時に、現在のアクセスしているアクセスネットワーク装置が該端末装置のために設定したものであり、且つネットワーク接続リクエストメッセージによってコアネットワークに送信され、又は他の方式によってコアネットワーク装置に送信されてもよく、本発明はこれに限定されない。アクセスネットワーク装置セットの各アクセスネットワーク装置は該コンテキスト情報を受信し、記憶することができる。端末装置が移動し、第一のアクセスネットワーク装置（即ちアクセスネットワーク装置セットのいずれかのアクセスネットワーク装置）にアクセスした場合、端末装置は該第一のアクセスネットワーク装置に記憶されたコンテキスト情報によってネットワークと通信を行うことができる。該ネットワークはアクセスネットワークであってもよく、又は他のネットワークなどであってもよく、本発明はこれに限定されない。これにより、端末装置は該少なくとも一つのアクセスネットワーク装置のカバレッジ内で移動することができ、それによって通信遅延を節約する。
【００３９】
いくつかの可能な実施形態では、該端末装置がコアネットワーク装置へ該アクセス履歴情報又は該サブスクリプション情報を送信することは、
該端末装置が該端末装置のアクセスしているアクセスネットワーク装置を介して該コアネットワーク装置へ該アクセス履歴情報又は該サブスクリプション情報を送信することを含む。
【００４０】
端末装置は、端末装置が現在アクセスしているアクセスネットワーク装置により転送し、コアネットワーク装置へ該アクセス履歴情報を送信することができ、例えば、端末装置とアクセスネットワーク装置の間にはシグナリング接続が確立され、現在のアクセスしているアクセスネットワーク装置へアクセス履歴情報を送信し、且つアクセスネットワーク装置がコアネットワーク装置へサービス接続確立リクエストを開始する時に、該アクセス履歴情報を該コアネットワーク装置に報告し、本発明はこれに限定されない。
【００４１】
いくつかの可能な実施形態では、該アクセス履歴情報はアクセスネットワーク装置のネットワーク統計情報を含む。
【００４２】
該アクセス履歴情報はアクセスネットワーク装置のネットワーク統計情報を含むことができ、該ネットワーク統計情報が端末装置の滞在していたアクセスネットワーク装置のＩＤであってもよく、又は端末装置の滞在していたアクセスネットワーク装置を示すことができる他の情報などであってもよく、本発明はこれに限定されない。端末装置はコアネットワーク装置へ該アクセスネットワーク装置のＩＤを送信し、これにより、コアネットワーク装置は該アクセス履歴情報に含まれるＩＤに基づいてアクセスネットワーク装置セットを確定することができる。これにより、コアネットワーク装置は端末装置の滞在していた各アクセスネットワーク装置へコンテキスト情報を送信し、アクセスネットワーク装置セットの各アクセスネットワーク装置が端末装置のためのネットワーク接続を予め確立するようにする。
【００４３】
いくつかの可能な実施形態では、前該端末装置がコアネットワーク装置へ該アクセス履歴情報を送信することは、
該端末装置が該コアネットワーク装置へ非アクセス層（ＮＡＳ）層シグナリングリクエストメッセージを送信し、該ＮＡＳ層シグナリングリクエストメッセージに該アクセス履歴情報が含まれることを含む。
【００４４】
端末装置はコアネットワーク装置へ該アクセス履歴情報を直接送信することができ、例えば、端末装置はコアネットワーク装置へ非アクセス層（ＮＡＳ）層シグナリングリクエストメッセージを送信する時に、該シグナリングリクエストメッセージに該アクセス履歴情報を含ませることができる。
【００４５】
いくつかの可能な実施形態では、該アクセス履歴情報はアクセスネットワーク装置のネットワーク統計情報を含む。
【００４６】
いくつかの実施形態では、該ネットワーク統計情報はさらに時間長情報及び／又はサービスタイプ情報を含む。
【００４７】
アクセス履歴情報は端末装置の滞在していたアクセスネットワーク装置のＩＤを含み、さらに時間長情報及び／又はサービスタイプ情報を含む。即ち、アクセス履歴情報は端末装置があるアクセスネットワーク装置に滞在した時間長情報を含み、又は該アクセス履歴情報はさらに端末装置が異なるアクセスネットワーク装置に滞在して行ったサービスタイプを含むことができ、又は該アクセス履歴情報はさらに端末装置があるアクセスネットワーク装置に滞在して何かしらのサービスを行った時間長などを含むことができ、又は該アクセス履歴情報はさらに端末装置があるアクセスネットワーク装置に滞在して行った全てのサービスの時間長などを含むことができ、本発明はこれに限定されない。
【００４８】
いくつかの可能な実施形態では、該サブスクリプション情報は位置エリア情報を含む。
【００４９】
該サブスクリプション情報は該端末装置と関連するエリア情報を含む。端末装置の地理的位置に基づいて該端末装置がどのアクセスネットワーク装置に属するかを確定することができるので、コアネットワーク装置は、該位置エリア情報に基づき、端末装置の滞在していたアクセスネットワーク装置を確定することができる。
【００５０】
いくつかの可能な実施形態では、該端末装置がコアネットワーク装置へ該サブスクリプション情報を送信することは、
該端末装置がエリア更新リクエストメッセージ、ＮＡＳ層シグナリングリクエストメッセージ又はアタッチリクエストメッセージによって該コアネットワーク装置へ該サブスクリプション情報を送信することを含む。
【００５１】
端末装置はアタッチプロセス又はコアネットワーク装置に管理されたエリア更新プロセスで、又はサービスリクエストを開始してＮＡＳシグナリング接続などを確立するのにコアネットワーク装置に送信する様々なメッセージにサブスクリプション情報をコアネットワーク装置に報告し、本発明はこれに限定されない。
【００５２】
いくつかの可能な実施形態では、該サブスクリプション情報はさらにサービスタイプ情報及び／又は時間情報を含む。
【００５３】
サブスクリプション情報はさらに端末装置の各サービスとエリアとの対応関係、即ち異なるサービスタイプとエリアとの対応関係を含むことができる。サブスクリプション情報はさらに異なる時点又は期間における端末装置とエリアとの対応関係を含むことができ、サブスクリプション情報はさらに異なる時点又は期間における端末装置の各サービスとエリアとの対応関係などを含むことができ、本発明はこれに限定されない。
【００５４】
第四の態様では、本出願はコアネットワーク装置を提供し、該コアネットワーク装置が第一の態様における方法を実行するためのモジュールを備える。
【００５５】
第五の態様では、本出願はアクセスネットワーク装置を提供し、該アクセスネットワーク装置が第二の態様における方法を実行するためのモジュールを備える。
【００５６】
第六の態様では、本出願は端末装置を提供し、該端末装置が第三の態様における方法を実行するためのモジュールを備える。
【００５７】
第七の態様では、本出願は通信システムを提供し、該通信システムが第四の態様におけるコアネットワーク装置、第五の態様におけるアクセスネットワーク装置と第六の態様における端末装置を備える。
【００５８】
第八の態様では、コアネットワーク装置が提供され、プロセッサとメモリを備え、
前記メモリがプログラムを記憶し、前記プロセッサが上記の第一の態様又は第一の態様のいずれかの可能な実施形態に記載された通信方法を実行するための前記プログラムを実行する。
【００５９】
第九の態様では、アクセスネットワーク装置が提供され、プロセッサとメモリを備え、
前記メモリがプログラムを記憶し、前記プロセッサが上記の第二の態様又は第二の態様のいずれかの可能な実施形態に記載された通信方法を実行するための前記プログラムを実行する。
【００６０】
第十の態様では、端末装置が提供され、プロセッサとメモリを備え、
前記メモリがプログラムを記憶し、前記プロセッサが上記の第三の態様又は第三の態様のいずれかの可能な実施形態に記載された通信方法を実行するための前記プログラムを実行する。
【００６１】
第十一の態様では、コンピュータ記憶媒体が提供され、該コンピュータ記憶媒体にプログラムが記憶され、該プログラムが上記の第一の態様又は第一の態様のいずれかの可能な実施形態における通信方法を実行することを示すことに用いられる。
【００６２】
第十二の態様では、コンピュータ記憶媒体が提供され、該コンピュータ記憶媒体にプログラムが記憶され、該プログラムが上記の第二の態様又は第二の態様のいずれかの可能な実施形態における通信方法を実行することを示すことに用いられる。
【００６３】
第十三の態様では、コンピュータ記憶媒体が提供され、該コンピュータ記憶媒体にプログラムが記憶され、該プログラムが上記の第三の態様又は第三の態様のいずれかの可能な実施形態における通信方法を実行することを示すことに用いられる。
【００６４】
上記技術的解決策に基づき、本出願の実施例では、コアネットワーク装置は少なくとも一つのアクセスネットワーク装置を含むアクセスネットワーク装置セットを確定し、且つ該アクセスネットワーク装置セットの各アクセスネットワーク装置と端末装置のためのネットワーク接続を確立し、このようにして、アクセスネットワーク装置セットの各アクセスネットワーク装置が端末装置のためのネットワーク接続を予め確立し、これにより端末装置の該少なくとも一つのアクセスネットワーク装置のカバレッジ内での移動における通信遅延を節約する。
【図面の簡単な説明】
【００６５】
【図１】本出願の応用シーンを示す図である。
【図２】従来技術における通信方法を示す図である。
【図３】本出願の一つの実施例による通信方法を示す図である。
【図４】本出願の別の実施例による通信方法を示す図である。
【図５】本出願の別の実施例による通信方法を示す図である。
【図６】本出願の一つの実施例による通信方法の概略フローチャートである。
【図７】本出願の実施例によるコアネットワーク装置の概略ブロック図である。
【図８】本出願の実施例によるアクセスネットワーク装置の概略ブロック図である。
【図９】本出願の実施例による端末装置の概略ブロック図である。
【図１０】本出願の実施例による通信システムの概略ブロック図である。
【図１１】本出願の実施例によるコアネットワーク装置の構造図である。
【図１２】本出願の実施例によるアクセスネットワーク装置の構造図である。
【図１３】本出願の実施例による端末装置の構造図である。
【発明を実施するための形態】
【００６６】
本出願の実施例の技術的解決策をより明確に説明するために、以下に実施例又は従来技術の説明に必要な図面を簡単に説明し、明らかに、以下に記載される図面が本発明のいくつかの実施例だけであり、当業者であれば、創造的な労力を要することなく、これらの図面に基づいて他の図面を得ることができる。
【００６７】
以下に本出願の実施例の図面を組み合わせながら、本出願の実施例における技術的解決策を明確で、全面的に説明し、明らかに、説明される実施例は本発明の一部の実施例だけであり、全ての実施例ではない。本出願の実施例に基づき、当業者が創造的な労力を要せずに得た他の実施例は、全て本発明の保護範囲に属する。
【００６８】
本出願の端末装置はアクセス端末、加入者ユニット、加入者局、移動局、移動サイト、遠隔局、遠隔端末、モバイル装置、ユーザ端末、端末、無線通信装置、ユーザエージェント又はユーザ装置と呼ばれてもよい。アクセス端末装置はセルラ電話、コードレス電話、ＳＩＰ（Ｓｅｓｓｉｏｎ  Ｉｎｉｔｉａｔｉｏｎ  Ｐｒｏｔｏｃｏｌ：セッション開始プロトコル）電話、ＷＬＬ（Ｗｉｒｅｌｅｓｓ  Ｌｏｃａｌ  Ｌｏｏｐ：ワイヤレスローカルループ）局、ＰＤＡ（Ｐｅｒｓｏｎａｌ  Ｄｉｇｉｔａｌ  Ａｓｓｉｓｔａｎｔ：パーソナルデジタルアシスタント）、無線通信機能を有しているハンドヘルドデバイス、コンピューティングデバイス又は無線モデムに接続された他の処理デバイス、車載デバイス、ウェアラブルデバイス及び将来の５Ｇネットワークにおける端末装置であってもよい。
【００６９】
アクセスネットワーク装置は移動装置との通信に用いられてもよく、アクセスネットワーク装置はＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ：グローバルモバイル通信）又はＣＤＭＡ（Ｃｏｄｅ  Ｄｉｖｉｓｉｏｎ  Ｍｕｌｔｉｐｌｅ  Ａｃｃｅｓｓ：符号分割多元アクセス）におけるＢＴＳ（Ｂａｓｅ  Ｔｒａｎｓｃｅｉｖｅｒ  Ｓｔａｔｉｏｎ：基地局）であってもよいし、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多重アクセス）におけるＮＢ（ＮｏｄｅＢ：基地局）であってもよく、またＬＴＥ（Ｌｏｎｇ  Ｔｅｒｍ  Ｅｖｏｌｕｔｉｏｎ：長期進化）におけるｅＮＢ又はｅＮｏｄｅＢ（Ｅｖｏｌｕｔｉｏｎａｌ  Ｎｏｄｅ  Ｂ：進化型基地局）、又は中継局又はアクセスポイント、又は車載デバイス、ウェアラブルデバイス及び将来の５Ｇネットワークにおけるアクセスネットワーク装置であってもよい。
【００７０】
コアネットワーク装置はモビリティ管理エンティティ（Ｍｏｂｉｌｉｔｙ  Ｍａｎａｇｅｍｅｎｔ  Ｅｎｔｉｔｙ：ＭＭＥと略称）でってもよく、またサ―ビングゲートウェイ（Ｓｅｒｖｉｎｇ  Ｇａｔｅｗａｙ：Ｓ−ＧＷと略称）又はパケットデータゲートウェイ（ＰＤＮ  Ｇａｔｅｗａｙ：Ｐ−ＧＷと略称）であってもよく、本出願はこれに限定されず、容易に説明するために、以下の実施例はＭＭＥを例として説明されるが、本出願はこれに限定されない。
【００７１】
通信システムでは、「コンテキスト確立」とはコンテキストセッション確立を指し、主に機能エンティティ間の接続の確立を指し、情報伝送に用いられる。例えば、ユーザ装置（ＵＥ：ｕｓｅｒ  ｅｑｕｉｐｍｅｎｔ）とアクセスネットワーク装置の２つの機能エンティティ間に無線リソース制御プロトコル（ＲＲＣ：Ｒａｄｉｏ  Ｒｅｓｏｕｒｃｅ  Ｃｏｎｔｒｏｌ）が確立され、その通信リンクがコンテキストであり、又はＵＥとゲートウェイの間の接続リンクもコンテキストである。一つのＵＥがアタッチ状態（非アイドル状態）にある場合、そのコンテキストは携帯電話ネットワーク機能、アクセスネットワーク装置の識別（ＩＤ：Ｉｄｅｎｔｉｔｙ）、認証情報、ネゴシエートされたセキュリティアルゴリズム、生成された鍵、作成された接続情報、ベアラ情報などを含む。該ＵＥが分離されない前に、これらの情報は保存される必要がある。そうでない場合はユーザがサービスリクエスト又はアタッチなどの動作を行う時に、処理できず、システムが該ＵＥのコンテキストを検索しないとそのネットワークプロトコル、それに接続されたゲートウェイ、それがどのベアラを作成したかを知らず、それに送信されたメッセージが復号されることができない可能性がある。
【００７２】
図１は本出願の応用シーンを示す図である。図１に示すように、端末装置１はアクセスネットワーク装置１にカバーされたセルからアクセスネットワーク装置２にカバーされたセルに移動し、アクセスネットワーク装置１からアクセスネットワーク装置２へのハンドオーバーを行う。
【００７３】
図２は従来技術における通信方法を示す図である。図２はＵＥの接続確立プロセス及びハンドオーバープロセスであり、詳細なステップは以下の通り：
１、ＵＥ  １０の位置が基地局２０のカバレッジ内にあるので、ＵＥ  １０は基地局２０へ初期接続アクセスを開始し、基地局２０との接続を確立する。
【００７４】
２、基地局２０はＵＥ  １０のためのコンテキストを確立し、例えば、基地局２０はＭＭＥ  ４０とのネットワーク接続などを確立する。
【００７５】
３、基地局２０はＭＭＥ  ４０とのネットワーク接続によってＵＥ  １０のコンテキスト情報を取得し、ＵＥ  １０のコンテキスト情報を記憶する。
【００７６】
４、基地局２０はＵＥ  １０へ測定メッセージを送信し、必要な測定パラメータを検出するようにＵＥに指示する。ＵＥは該測定メッセージに基づいて測定パラメータを検出し、且つ基地局２０へ測定レポートを報告する。基地局２０は測定レポートに基づき、ＵＥ  １０が移動していること、及び移動する位置２が基地局３０のカバレッジ内にあることを確定する。
【００７７】
５、基地局２０は基地局３０へ基地局ハンドオーバーリクエストメッセージを送信し、且つ該ハンドオーバーリクエストメッセージにＵＥ  １０のコンテキスト情報が含まれる。
【００７８】
６、基地局３０はＵＥ  １０のコンテキスト情報を記憶する。
【００７９】
７、基地局３０は基地局２０にハンドオーバー確認を返信する。
【００８０】
８、ＵＥ  １０は基地局２０から基地局３０へのハンドオーバーを実行する。
【００８１】
９、ＵＥ  １０が基地局２０から基地局３０へのハンドオーバーを完了した場合、ＵＥは１０は基地局３０へデータを送信する。
【００８２】
１０、データを送信する必要がある場合、基地局３０はＵＥ  １０のコンテキスト情報に基づいてＵＥ  １０のためのネットワーク接続及びＵＥのコンテキストを確立する。
【００８３】
したがって、従来技術では、ＵＥが移動した後、まず基地局ハンドオーバーを完成し、送信する必要がある時のみ、基地局はＵＥのコンテキスト情報に基づいてネットワーク接続及びコンテキストを確立し、この場合、ＵＥが移動した後のデータ伝送の遅延が長い。
【００８４】
図３は本出願の一つの実施例による通信方法１００を示す図である。本出願の実施例における様々な用語の意味は上記の各実施例と同じである。該通信方法２００の実行本体はコアネットワーク装置であり、該通信方法１００は、Ｓ１１０〜Ｓ１２０を含む。
【００８５】
Ｓ１１０において、コアネットワーク装置が端末装置がアクセスしたことのある少なくとも一つのアクセスネットワーク装置を含むアクセスネットワーク装置セットを確定する。
【００８６】
Ｓ１２０において、該コアネットワーク装置が該アクセスネットワーク装置セットの各アクセスネットワーク装置と該端末装置のためのネットワーク接続を確立する。
【００８７】
具体的には、コアネットワーク装置は端末装置がアクセスしたことのある少なくとも一つのアクセスネットワーク装置からなるアクセスネットワーク装置セットを確定する。コアネットワーク装置はアクセスネットワーク装置セットの各アクセスネットワーク装置と端末装置のためのネットワーク接続を予め確立し、これにより、該端末装置は仮想アクセスネットワーク装置セットの全てのアクセスネットワーク装置のカバレッジ内で移動することができ、それによって通信遅延を節約する。
【００８８】
理解すべきものとして、端末装置がデタッチリクエスト又はサービス解放リクエストを開始させる場合、コアネットワーク装置は、仮想アクセスネットワーク装置セットにおける端末装置に対して確立されたネットワーク接続を解放することができる。
【００８９】
したがって、本発明の実施例による通信方法では、コアネットワーク装置は少なくとも一つのアクセスネットワーク装置を含むアクセスネットワーク装置セットを確定し、且つ該アクセスネットワーク装置セットの各アクセスネットワーク装置へ端末装置のためのネットワーク接続を確立し、このようにしてアクセスネットワーク装置セットの各アクセスネットワーク装置は端末装置のためのネットワーク接続を予め確立し、これにより、端末装置の該少なくとも一つのアクセスネットワーク装置のカバレッジ内での移動における通信遅延を節約する。
【００９０】
選択可能に、本発明の一つの実施例では、該コアネットワーク装置が該アクセスネットワーク装置セットの各アクセスネットワーク装置とネットワーク接続を確立することは、
該コアネットワーク装置が該アクセスネットワーク装置セットの各アクセスネットワーク装置へネットワーク接続リクエストメッセージを送信し、該ネットワーク接続リクエストメッセージが該端末装置のためのネットワーク接続に用いられることを含む。
【００９１】
コアネットワーク装置は、アクセスネットワーク装置セットの各アクセスネットワーク装置へネットワーク接続リクエストメッセージを送信することができ、これにより、該アクセスネットワーク装置セットの各アクセスネットワーク装置が該ネットワーク接続リクエストメッセージに基づいて該端末装置のためのネットワーク接続を確立するようにすることができ、本発明はこれに限定されない。このようにしてアクセスネットワーク装置セットの各アクセスネットワーク装置は端末装置のためのネットワーク接続を予め確立し、これにより、端末装置の該少なくとも一つのアクセスネットワーク装置のカバレッジ内での移動における通信遅延を節約する。
【００９２】
理解すべきものとして、ネットワーク接続を確立することはコアネットワーク装置によってネットワーク接続リクエストメッセージを送信して実現されてもよいし、アクセスネットワーク装置によってリクエストなどを開始して実現されてもよく、本発明はこれに限定されない。
【００９３】
選択可能に、本発明の一つの実施例では、該通信方法はさらに、
該コアネットワーク装置が該各アクセスネットワークへコンテキスト情報を送信し、該端末装置が該コンテキスト情報によってネットワークと通信を行うようにする。
【００９４】
コアネットワーク装置はアクセスネットワーク装置セットの各アクセスネットワーク装置へコンテキスト情報を送信し、該コンテキスト情報が、端末装置がサービス接続を開始する時に、現在のアクセスしているアクセスネットワーク装置が該端末装置のために設定したものであり、該コンテキスト情報がネットワーク接続リクエストメッセージに含ませてコアネットワーク装置に送信されてもよく、又は他の方式によってコアネットワーク装置に送信されてもよく、本発明はこれに限定されない。アクセスネットワーク装置セットの各アクセスネットワーク装置は該コンテキスト情報を受信し、記憶することができる。端末装置が移動してから、第一のアクセスネットワーク装置（即ちアクセスネットワーク装置セットのいずれかのアクセスネットワーク装置）にアクセスする場合、端末装置は該第一のアクセスネットワーク装置に記憶されたコンテキスト情報によってネットワークと通信を行うことができる。該ネットワークはアクセスネットワークであってもよく、又は他のネットワークなどであってもよく、本発明はこれに限定されない。これにより、端末装置は該少なくとも一つのアクセスネットワーク装置のカバレッジ内でシームレスに移動することができ、それによって通信遅延を節約する。
【００９５】
選択可能に、本発明の一つの実施例では、該コアネットワーク装置がアクセスネットワーク装置セットを確定することは、
該コアネットワーク装置が該端末装置のアクセス履歴情報又はサブスクリプション情報を取得することと、
該コアネットワーク装置が該アクセス履歴情報又は該サブスクリプション情報に基づき、該アクセスネットワーク装置セットを確定することとを含む。
【００９６】
具体的には、コアネットワーク装置は端末装置のアクセス履歴情報又はサブスクリプション情報を取得し、且つ該アクセス履歴情報又はサブスクリプション情報に基づき、該アクセスネットワーク装置セットがどのアクセスネットワーク装置を含むかを確定する。即ち、コアネットワーク装置は該アクセス履歴情報又はサブスクリプション情報に基づき、端末装置がどの端末装置に習慣的にアクセスするかを確定する。
【００９７】
理解すべきものとして、コアネットワーク装置は端末装置のアクセス履歴情報又はサブスクリプション情報、又は他の情報に基づき、該アクセスネットワーク装置セットを確定することができ、又は、他の装置は該アクセスネットワーク装置セットを確定して指示情報などによってコアネットワーク装置などに通知することもでき、これにより、コアネットワーク装置は端末装置がアクセスしたことのあるアクセスネットワーク装置セットを確定することができ、本発明はこれに限定されない。
【００９８】
選択可能に、本発明の一つの実施例では、該コアネットワーク装置が該端末装置のアクセス履歴情報又はサブスクリプション情報を取得することは、
該コアネットワーク装置が該端末装置から送信された該アクセス履歴情報又は該サブスクリプション情報を受信することを含む。
【００９９】
具体的には、コアネットワーク装置は端末装置から送信されたアクセス履歴情報又はサブスクリプション情報を直接受信することができる。例えば、端末装置はコアネットワーク装置へ非アクセス層ＮＡＳ層（ＮＡＳ：Ｎｏｎ−Ａｃｃｅｓｓ  Ｓｔｒａｔｕｍ）シグナリングリクエストメッセージを送信する時に、該シグナリングリクエストメッセージに該アクセス履歴情報を含ませる。又は、コアネットワーク装置は、端末装置がアタッチプロセス又はコアネットワーク装置に管理されたエリア更新プロセスで、又はサービスリクエストを開始してＮＡＳシグナリング接続などを確立するのに送信する様々なメッセージに含まれるサブスクリプション情報を受信し、本発明はこれに限定されない。
【０１００】
選択可能に、本発明の一つの実施例において、該コアネットワーク装置が該端末装置のアクセス履歴情報を取得することは、
該コアネットワーク装置が該端末装置のアクセスしているアクセスネットワーク装置から送信された該アクセス履歴情報を受信することを含む。
【０１０１】
具体的には、コアネットワーク装置は、端末装置が現在アクセスしているアクセスネットワーク装置により転送されたアクセス履歴情報を受信することもでき、例えば、端末装置とアクセスネットワーク装置の間にシグナリング接続を確立する時に、現在のアクセスしているアクセスネットワーク装置へアクセス履歴情報を送信し、且つアクセスネットワーク装置がコアネットワーク装置へサービス接続確立リクエストを開始する時に、該アクセス履歴情報をコアネットワーク装置に報告し、本発明はこれに限定されない。
【０１０２】
選択可能に、本発明の一つの実施例では、該コアネットワーク装置が該端末装置のアクセス履歴情報を取得することは、
該コアネットワーク装置が該端末装置の位置情報を取得することと、
該コアネットワーク装置がネットワークトポロジダイアグラムと該端末装置の位置情報に基づき、該アクセス履歴情報を確定することとを含む。
【０１０３】
具体的には、トポロジダイアグラムはネットワークノード装置と通信媒体からなるネットワーク構造図を意味する。ネットワークトポロジダイアグラムはコンピュータ、プリンタ、ネットワーク装置と他の装置の様々な接続方式を定義している。言い換えれば、ネットワークトポロジはケーブルとネットワーク装置のレイアウト、及びデータ伝送に使用されるパスを表記する。
【０１０４】
コアネットワーク装置は測位サーバから各時点又は期間における端末装置の位置情報を取得し、且つ該位置情報とアクセスネットワークのネットワークトポロジダイアグラムに基づき、端末装置のアクセス履歴情報を確定することができる。
【０１０５】
選択可能に、該アクセス履歴情報がアクセスネットワーク装置のネットワーク統計情報を含み、
ここで、該コアネットワーク装置が該アクセス履歴情報に基づき、該アクセスネットワーク装置セットを確定することは、
該コアネットワーク装置が該ネットワーク統計情報に基づき、該アクセスネットワーク装置セットを確定することを含む。
【０１０６】
具体的には、コアネットワーク装置は端末装置のアクセス履歴情報に基づき、どのアクセスネットワーク装置が端末装置の習慣的に滞在するアクセスネットワーク装置であるかを確定する。即ち、コアネットワーク装置は、端末装置が次にどのアクセスネットワーク装置にアクセスする可能性があるかを確定し、且つ該端末装置のためのネットワーク接続を予め確立することができ、それによって通信遅延を節約する。
【０１０７】
選択可能に、本発明の一つの実施例では、該ネットワーク統計情報はアクセスネットワーク情報を含む。
【０１０８】
具体的には、アクセス履歴情報は端末装置の滞在していたアクセスネットワーク装置のＩＤ、又は端末装置がアクセスしたことのあるアクセスネットワーク装置を示すことができる他の情報などであってもよく、本発明はこれに限定されない。コアネットワーク装置は該アクセス履歴情報に含まれるＩＤに基づいてアクセスネットワーク装置セット１を確定する。これにより、コアネットワーク装置は端末装置の滞在していた各アクセスネットワーク装置へネットワーク接続リクエストメッセージとコンテキスト情報を送信し、アクセスネットワーク装置セット１の各アクセスネットワーク装置が端末装置のためのネットワーク接続及びコンテキストを予め確立するようにし、これにより端末装置が該コンテキスト情報によってコアネットワーク装置と通信を行うことができる。
【０１０９】
選択可能に、本発明の一つの実施例では、該ネットワーク統計情報はさらに時間長情報及び／又はサービスタイプ情報を含む。
【０１１０】
具体的には、ネットワーク統計情報はさらに時間長情報及び／又はサービスタイプ情報を含む。即ち、アクセス履歴情報は端末装置があるアクセスネットワーク装置に滞在した時間長情報を含むことができる。このようにしてコアネットワーク装置は端末装置が各アクセスネットワーク装置に滞在した時間長情報に基づき、アクセスネットワーク装置の優先度を確定することができ、例えば、一つの時間閾値を設定し、端末装置が時間閾値を超えるアクセスネットワーク装置を該アクセスネットワーク装置セットのアクセスネットワーク装置として確定し、それによって端末装置が長時間滞在した（即ち端末装置が習慣的に滞在する）少なくとも一つのアクセスネットワーク装置をアクセスネットワーク装置セット２として確定することができる。ＩＤのみに基づいてアクセスネットワーク装置セットを確定することに比べ、本発明の実施例はアクセスネットワーク装置セットのアクセスネットワーク装置の数をさらに減らすことができ、端末装置が滞在する回数が少ないアクセスネットワークが端末装置のためのコンテキスト情報を確立することを回避し、リソース浪費を減少する。
【０１１１】
理解すべきものとして、ここでのアクセスネットワーク装置セット２はアクセスネットワーク装置セット１のサブセットであり、即ちアクセスネットワーク装置セット２のアクセスネットワーク装置はアクセスネットワーク装置セット１から選択されたものである。
【０１１２】
又は、該アクセス履歴情報はさらに端末装置があるアクセスネットワーク装置に滞在して行ったサービスタイプを含むことができる。このようにして、コアネットワーク装置は、端末装置が現在開始しているサービスタイプに応じて、アクセスネットワーク装置の優先度を確定することができる。これにより、コアネットワーク装置は、端末装置が対応するサービスタイプを開始し、習慣的に滞在する少なくとも一つのアクセスネットワーク装置をアクセスネットワーク装置セット３として選択し、それによって本発明の実施例はアクセスネットワーク装置セットのアクセスネットワーク装置の個数を減少することができ、端末装置が滞在した回数が少ないアクセスネットワークが端末装置のためのネットワーク接続を確立することを回避し、リソースを節約する。
【０１１３】
理解すべきものとして、ここでのアクセスネットワーク装置セット３はアクセスネットワーク装置セット１のサブセットであり、即ちアクセスネットワーク装置セット３のアクセスネットワーク装置はアクセスネットワーク装置セット１から選択されたものである。
【０１１４】
説明すべきものとして、サービスタイプによって、コアネットワーク装置によって確定されたアクセスネットワーク装置セットは同じでも異なっていてもよく、本発明の実施例はこれに限定されない。
【０１１５】
又は、該アクセス履歴情報はさらに端末装置があるアクセスネットワーク装置に滞在して何かしらのサービスを行った時間長などを含むことができる。このようにして、コアネットワーク装置は端末装置が現在開始しているサービスタイプ及び該タイプのサービスを行った時間長に基づき、アクセスネットワーク装置の優先度を確定し、それによって端末装置が対応するサービスタイプを開始し、滞在時間の長い少なくとも一つのアクセスネットワーク装置をアクセスネットワーク装置セット４として確定することができ、本発明の実施例はアクセスネットワーク装置セットのアクセスネットワーク装置の個数をさらに減少することができ、端末装置が滞在した回数が少ないアクセスネットワークが端末装置のためのネットワーク接続を確立することを回避し、リソースを節約する。
【０１１６】
理解すべきものとして、ここでのアクセスネットワーク装置セット４はアクセスネットワーク装置セット２又はアクセスネットワーク装置セット３のサブセットである。
【０１１７】
選択可能に、本発明の一つの実施例では、該サブスクリプション情報は位置エリア情報を含み、
ここで、該コアネットワーク装置が該サブスクリプション情報に基づき、該アクセスネットワーク装置セットを確定することは、
該コアネットワーク装置が該位置エリア情報に基づき、該アクセスネットワーク装置セットを確定することを含む。
【０１１８】
具体的には、該サブスクリプション情報は該ＵＥと関連するエリア情報を含む。ＵＥの地理的位置がアクセスネットワーク装置のカバレッジに対応するので、コアネットワーク装置は該位置エリア情報に基づき、ＵＥの滞在していたアクセスネットワーク装置を確定し、且つ該ＵＥの滞在していた少なくとも一つのアクセスネットワーク装置をアクセスネットワーク装置セット５として確定することができる。
【０１１９】
選択可能に、本発明の一つの実施例では、該サブスクリプション情報はさらにサービスタイプ情報及び／又は時間情報を含み、
ここで、該コアネットワーク装置が該位置エリア情報に基づき、該アクセスネットワーク装置セットを確定することは、
該コアネットワーク装置が該位置エリア情報及びサービスタイプ情報及び／又は時間情報に基づき、該アクセスネットワーク装置セットを確定することを含む。
【０１２０】
具体的には、サブスクリプション情報はさらにＵＥの各サービスとエリアとの対応関係、即ち異なるサービスタイプとエリアとの対応関係を含むことができる。サブスクリプション情報はさらに異なる時点又は期間における端末装置とエリアとの対応関係を含むことができる。コアネットワーク装置は現在の時点又は期間に基づき、端末装置の習慣的に滞在していたアクセスネットワーク装置を確定し、且つアクセスネットワーク装置の優先度を設定し、それによって優先度が高い少なくとも一つのアクセスネットワーク装置をアクセスネットワーク装置セット６として確定する。
【０１２１】
理解すべきものとして、ここでのアクセスネットワーク装置セット６はアクセスネットワーク装置セット５のサブセットであり、即ちアクセスネットワーク装置セット６のアクセスネットワーク装置はアクセスネットワーク装置セット５から選択されたものである。
【０１２２】
又は、サブスクリプション情報はさらに異なる時点又は期間における端末装置の各サービスとエリアとの対応関係などを含むことができる。具体的には、コアネットワーク装置は現在の時点又は期間、及び現在の実行されているサービスタイプに応じて、端末装置の滞在していたアクセスネットワーク装置の優先度を確定する。これにより、優先度が高い少なくとも一つのアクセスネットワーク装置をアクセスネットワーク装置セット７として確定する。
【０１２３】
理解すべきものとして、ここでのアクセスネットワーク装置セット７はアクセスネットワーク装置セット６のサブセットであり、アクセスネットワーク装置セット７のアクセスネットワーク装置はアクセスネットワーク装置セット６から選択されたものである。
【０１２４】
また、理解すべきものとして、上記の対応する情報の具体的な指示方法について上記の各実施例を参照でき、簡潔するために、ここで説明を省略する。
【０１２５】
したがって、本発明の実施例による通信方法では、アクセスネットワーク装置は少なくとも一つのアクセスネットワーク装置を含むアクセスネットワーク装置セットを確定し、且つ該アクセスネットワーク装置セットの各アクセスネットワーク装置へネットワーク接続リクエストメッセージを送信し、これにより該アクセスネットワーク装置セットの各アクセスネットワーク装置は該ネットワーク接続リクエストメッセージに基づいて該端末装置のためのネットワーク接続を確立し、このようにしてアクセスネットワーク装置セットの各アクセスネットワーク装置は端末装置のためのネットワーク接続を予め確立し、これにより、端末装置は該少なくとも一つのアクセスネットワーク装置のカバレッジ内でシームレスに移動することができ、それによって通信遅延を節約する。
【０１２６】
本発明の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１２７】
該通信方法１００はコアネットワーク装置の観点から本発明の実施例による通信方法を詳細に説明し、以下にアクセスネットワーク装置の観点から本発明の実施例による通信方法を詳細に説明する。
【０１２８】
図４は本出願の一つの実施例による通信方法２００を示す図である。本出願の実施例の様々な用語の意味は上記の各実施例と同じである。該通信方法２００の実行本体はアクセスネットワーク装置であり、該通信方法２００は、Ｓ２１０〜Ｓ２２０を含む。
【０１２９】
Ｓ２１０において、アクセスネットワーク装置がコアネットワーク装置からアクセスネットワーク装置セットの各アクセスネットワーク装置に送信された、端末装置のために設定されたネットワーク接続リクエストメッセージを受信し、該アクセスネットワーク装置セットが該端末装置がアクセスしたことのある少なくとも一つのアクセスネットワーク装置を含む。
【０１３０】
Ｓ２２０において、該アクセスネットワーク装置が該ネットワーク接続リクエストメッセージに基づき、該端末装置のためのネットワーク接続を確立する。
【０１３１】
具体的には、アクセスネットワーク装置はコアネットワーク装置から送信されたネットワーク接続リクエストメッセージを受信し、しかもコアネットワーク装置はアクセスネットワーク装置セットの全てのアクセスネットワーク装置へネットワーク接続リクエストメッセージを送信する。アクセスネットワーク装置は該ネットワーク接続リクエストメッセージに基づき、該端末装置のためのネットワーク接続を予め確立する。
【０１３２】
理解すべきものとして、アクセスネットワーク装置はネットワーク接続リクエストメッセージに基づいてネットワーク接続を確立する。具体的には、該ネットワーク接続は制御プレーン及び／又はユーザプレーンの接続などであってもよく、本発明はこれに限定されない。
【０１３３】
理解すべきものとして、各アクセスネットワーク装置は一つの接続を確立することができ、複数の接続を同時に確立することもでき、本発明はこれに限定されない。
【０１３４】
選択可能に、該通信方法はさらに、
該アクセスネットワーク装置がコンテキスト情報を受信し、該端末装置が該コンテキスト情報によってネットワークと通信を行うようにすることを含む。
【０１３５】
該コンテキスト情報は、端末装置がサービス接続を開始する時に、現在のアクセスしているアクセスネットワーク装置が該端末装置のために設定したものである。該コンテキスト情報は該ネットワーク接続リクエストメッセージに含まれ、コアネットワーク装置に送信されてもよく、又は他の方式によってコアネットワーク装置に送信され、コアネットワーク装置によってアクセスネットワーク装置セットの各アクセスネットワーク装置に送信されてもよく、又は現在のアクセスしているアクセスネットワーク装置によってアクセスネットワーク装置セットを知った後にアクセスネットワーク装置セットのアクセスネットワーク装置に直接送信されてもよく、本発明はこれに限定されない。アクセスネットワーク装置セットの各アクセスネットワーク装置は該コンテキスト情報を受信し、記憶することができる。該端末装置が移動し、第一のアクセスネットワーク装置（即ちアクセスネットワーク装置セットのいずれかのアクセスネットワーク装置）にアクセスした場合、端末装置は該第一のアクセスネットワーク装置に記憶されたコンテキスト情報によってネットワークと通信を行うことができる。該ネットワークはアクセスネットワークであっても良く、又は他のネットワークなどであってもよく、本発明はこれに限定されない。これにより、端末装置は該少なくとも一つのアクセスネットワーク装置のカバレッジ内でシームレスに移動することができ、それによって通信遅延を節約する。
【０１３６】
したがって、本発明の実施例による通信方法では、アクセスネットワーク装置はコアネットワーク装置から送信された、端末装置のために設定されたネットワーク接続リクエストメッセージを受信し、且つ該ネットワーク接続リクエストメッセージに基づき、ＵＥのためのネットワーク接続を確立し、このようにしてアクセスネットワーク装置セットの各アクセスネットワーク装置はＵＥのためのネットワーク接続を予め確立し、これにより端末装置は該少なくとも一つのアクセスネットワーク装置のカバレッジ内でシームレスに移動することができ、それによって通信遅延を節約する。
【０１３７】
理解すべきものとして、上記の対応する情報の具体的な指示方式について上記の各実施例を参照でき、簡潔するために、ここで説明を省略する。
【０１３８】
また、理解すべきものとして、本発明の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１３９】
該通信方法２００はアクセスネットワーク装置の観点から本発明の実施例による通信方法を詳細に説明し、以下に端末装置の観点から本発明の実施例による通信方法を詳細に説明する。
【０１４０】
図５は本出願の一つの実施例による通信方法３００を示す図である。該通信方法３００の実行本体は端末装置であり、該通信方法３００は、Ｓ３１０〜Ｓ３２０を含む。
【０１４１】
Ｓ３１０において、端末装置が該端末装置のアクセス履歴情報又はサブスクリプション情報を取得する。
【０１４２】
Ｓ３２０において、該端末装置がコアネットワーク装置へ該アクセス履歴情報又は該サブスクリプション情報を送信し、該コアネットワーク装置が該アクセス履歴情報又は該サブスクリプション情報に基づいて該アクセスネットワーク装置セットを確定し且つ該アクセスネットワーク装置セットの各アクセスネットワーク装置と該端末装置のためのネットワーク接続を確立する。
【０１４３】
具体的には、端末装置はアクセス履歴情報又はサブスクリプション情報を取得し、該履歴情報又はサブスクリプション情報が、端末装置の滞在していた少なくとも一つのアクセスネットワーク装置からなるアクセスネットワーク装置セットを示すことに用いられる。端末装置はコアネットワーク装置へアクセス履歴情報又はサブスクリプション情報を送信し、これにより、コアネットワーク装置は該アクセス履歴情報又はサブスクリプション情報に基づいてアクセスネットワーク装置セットを確定し、且つ該アクセスネットワーク装置セットの各アクセスネットワーク装置と端末装置のためのネットワーク接続を確立し、それによってアクセスネットワーク装置セットの各アクセスネットワーク装置は端末装置のためのネットワーク接続を予め確立することができる。
【０１４４】
したがって、本発明の実施例による通信方法では、端末装置はコアネットワーク装置へ該端末装置のアクセス履歴情報又はサブスクリプション情報を送信し、コアネットワーク装置が該アクセス履歴情報又はサブスクリプション情報に基づいて少なくとも一つのアクセスネットワーク装置を含むアクセスネットワーク装置セットを確定し、且つ該アクセスネットワーク装置セットの各アクセスネットワーク装置と端末装置のためのネットワーク接続を確立するようにし、このようにして、アクセスネットワーク装置セットの各アクセスネットワーク装置は端末装置のためのネットワーク接続を予め確立し、これにより、端末装置の該少なくとも一つのアクセスネットワーク装置のカバレッジ内での移動における通信遅延を節約する。
【０１４５】
選択可能に、本発明の一つの実施例では、該通信方法はさらに、
該端末装置が該アクセスネットワーク装置セットの第一のアクセスネットワーク装置によって受信されたコンテキスト情報によってネットワークと通信を行うことを含む。
【０１４６】
該ネットワーク接続リクエストメッセージに端末装置のコンテキスト情報が含まれ、該コンテキスト情報は、端末装置がサービス接続を開始する時に、現在のアクセスしているアクセスネットワーク装置が該端末装置のために設定され、且つコアネットワークに送信され、又は他の方式によってコアネットワーク装置に送信されてもよく、本発明はこれに限定されない。アクセスネットワーク装置セットの各アクセスネットワーク装置は該コンテキスト情報を受信し、記憶することができる。端末装置が移動し、第一のアクセスネットワーク装置（即ちアクセスネットワーク装置セットのいずれかのアクセスネットワーク装置）にアクセスした場合、端末装置は該第一のアクセスネットワーク装置に記憶されたコンテキスト情報によってネットワークと通信を行うことができる。該ネットワークはアクセスネットワークであってもよく、又は他のネットワークなどであってもよく、本発明はこれに限定されない。これにより、端末装置は該少なくとも一つのアクセスネットワーク装置のカバレッジ内でシームレスに移動することができ、それによって通信遅延を節約する。
【０１４７】
選択可能に、該端末装置がコアネットワーク装置へ該アクセス履歴情報又は該サブスクリプション情報を送信することは、
該端末装置が該端末装置のアクセスしているアクセスネットワーク装置を介して該コアネットワーク装置へ該アクセス履歴情報又は該サブスクリプション情報を送信することを含む。
【０１４８】
具体的には、端末装置は、端末装置が現在アクセスしているアクセスネットワーク装置により転送し、コアネットワーク装置へ該アクセス履歴情報を送信することができ、例えば、端末装置とアクセスネットワーク装置の間にはシグナリング接続が確立され、現在アクセスしているアクセスネットワーク装置へアクセス履歴情報を送信し、且つアクセスネットワーク装置がコアネットワーク装置へサービス接続確立リクエストを開始する時に、該アクセス履歴情報を該コアネットワーク装置に報告し、本発明はこれに限定されない。
【０１４９】
選択可能に、本発明の一つの実施例では、該アクセス履歴情報はアクセスネットワーク装置のネットワーク統計情報を含む。
【０１５０】
具体的には、該アクセス履歴情報はアクセスネットワーク装置のネットワーク統計情報を含むことができ、該ネットワーク統計情報が端末装置の滞在していたアクセスネットワーク装置のＩＤであってもよく、又は端末装置の滞在していたアクセスネットワーク装置を示すことができる他の情報などであってもよく、本発明はこれに限定されない。端末装置はコアネットワーク装置へ該アクセスネットワーク装置のＩＤを送信し、これにより、コアネットワーク装置は該アクセス履歴情報に含まれるＩＤに基づいてアクセスネットワーク装置セットを確定することができる。これにより、コアネットワーク装置は端末装置の滞在していた各アクセスネットワーク装置へコンテキスト情報を送信し、アクセスネットワーク装置セットの各アクセスネットワーク装置が端末装置のためのネットワーク接続を予め確立するようにする。
【０１５１】
選択可能に、本発明の一つの実施例では、前該端末装置がコアネットワーク装置へ該アクセス履歴情報を送信することは、
該端末装置が該コアネットワーク装置へ非アクセス層（ＮＡＳ）層シグナリングリクエストメッセージを送信し、該ＮＡＳ層シグナリングリクエストメッセージに該アクセス履歴情報が含まれることを含む。
【０１５２】
具体的には、端末装置はコアネットワーク装置へ該アクセス履歴情報を直接送信することができ、例えば、端末装置はコアネットワーク装置へ非アクセス層（ＮＡＳ：Ｎｏｎ−Ａｃｃｅｓｓ  Ｓｔｒａｔｕｍ）ＮＡＳ層シグナリングリクエストメッセージを送信する時に、該シグナリングリクエストメッセージに該アクセス履歴情報が含まれる。
【０１５３】
選択可能に、本発明の一つの実施例において、該アクセス履歴情報はさらに時間長情報及び／又はサービスタイプ情報を含む。
【０１５４】
具体的には、アクセス履歴情報は端末装置の滞在していたアクセスネットワーク装置のＩＤを含み、さらに時間長情報及び／又はサービスタイプ情報を含む。即ち、以前にアクセス履歴情報は端末装置があるアクセスネットワーク装置に滞在していた時間長情報を含み、又は該アクセス履歴情報はさらに、以前に端末装置が異なるアクセスネットワーク装置に滞在して行ったサービスタイプを含むことができ、又は該アクセス履歴情報はさらに、以前に端末装置があるアクセスネットワーク装置に滞在して何かしらのサービスを行った時間長などを含むことができ、又は該アクセス履歴情報はさらに、以前に端末装置があるアクセスネットワーク装置に滞在して行った全てのサービスの時間長などを含むことができ、本発明はこれに限定されない。
【０１５５】
理解すべきものとして、該時間長情報はネットワークに基づいて設定されてもよく、特定の時点又は特定の期間、例えば具体的な時間単位値（時分秒）又は直近の期間などを示すことに用いられ、又は該時間長情報は、統計された、滞在していた全てのアクセスネットワーク装置の時間長に対する端末装置が該アクセスネットワーク装置に滞在した時間長の割合であってもよい。
【０１５６】
具体的には、該サブスクリプション情報は該端末装置と関連するエリア情報を含む。端末装置の地理的位置に基づいて該端末装置がどのアクセスネットワーク装置に属するかを確定することができるので、コアネットワーク装置は、該位置エリア情報に基づき、端末装置の滞在していたアクセスネットワーク装置を確定することができる。
【０１５７】
選択可能に、本発明の一つの実施例では、該端末装置がコアネットワーク装置へ該サブスクリプション情報を送信することは、
該端末装置がエリア更新リクエストメッセージ、ＮＡＳ層シグナリングリクエストメッセージ又はアタッチリクエストメッセージによって該コアネットワーク装置へ該サブスクリプション情報を送信することを含む。
【０１５８】
具体的には、端末装置はアタッチプロセス又はコアネットワーク装置に管理されたエリア更新プロセスで、又はサービスリクエストを開始してＮＡＳシグナリング接続などを確立するのにコアネットワーク装置に送信する様々なメッセージにサブスクリプション情報をコアネットワーク装置に報告し、本発明はこれに限定されない。
【０１５９】
選択可能に、本発明の一つの実施例では、該サブスクリプション情報はさらにサービスタイプ情報及び／又は時間情報を含む。
【０１６０】
具体的には、サブスクリプション情報はさらに端末装置の各サービスとエリアとの対応関係、即ち異なるサービスタイプとエリアとの対応関係を含むことができる。サブスクリプション情報はさらに異なる時点又は期間における端末装置とエリアとの対応関係を含むことができ、サブスクリプション情報はさらに異なる時点又は期間における端末装置の各サービスとエリアとの対応関係などを含むことができ、本発明はこれに限定されない。
【０１６１】
したがって、本発明の実施例による通信方法では、端末装置はコアネットワーク装置へ該端末装置のアクセス履歴情報又はサブスクリプション情報を送信し、コアネットワーク装置が該アクセス履歴情報又はサブスクリプション情報に基づいて少なくとも一つのアクセスネットワーク装置を含むアクセスネットワーク装置セットを確定し、且つ該アクセスネットワーク装置セットの各アクセスネットワーク装置へ端末装置のために設定されたネットワーク接続リクエストメッセージを送信するようにし、該アクセスネットワーク装置セットの各アクセスネットワーク装置が該ネットワーク接続リクエストメッセージに基づいて端末装置のためのネットワーク接続を確立し、このようにして、アクセスネットワーク装置セットの各アクセスネットワーク装置は端末装置のためのネットワーク接続を予め確立し、これにより端末装置は該少なくとも一つのアクセスネットワーク装置のカバレッジ内でシームレスに移動することができ、それによって通信遅延を節約する。
【０１６２】
理解すべきものとして、上記の対応する情報の具体的な指示方式について上記の各実施例を参照でき、簡潔するために、ここで説明を省略する。
【０１６３】
理解すべきものとして、本発明の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１６４】
該通信方法３００は端末装置の観点から本発明の実施例による通信方法を詳細に説明し、以下に本発明の実施例による通信方法のフローチャートについて説明する。
【０１６５】
図６は本出願の一つの実施例による通信方法のインタラクションフローチャートである。本発明の実施例における様々な用語の意味は上記の各実施例と同じである。
【０１６６】
注意すべきものとして、これは、当業者が本出願の実施例をよりよく理解することを助けるためのものだけであり、本出願の実施例の範囲を限定するためのものではない。
【０１６７】
４１０において、端末装置は該端末装置のアクセス履歴情報又はサブスクリプション情報を取得し、
４２０において、端末装置はコアネットワーク装置へ該アクセス履歴情報又は該サブスクリプション情報を送信する。
【０１６８】
端末装置は、コアネットワーク装置へ該アクセス履歴情報を直接送信することができ、例えば、端末装置はコアネットワーク装置へ非アクセス層（ＮＡＳ）層シグナリングリクエストメッセージを送信する時に、該シグナリングリクエストメッセージに該アクセス履歴情報を含ませることができ、又は、端末装置は端末装置が現在アクセスしているネットワーク装置により転送し、コアネットワーク装置へ該アクセス履歴情報を送信することができる。
【０１６９】
４３０において、コアネットワーク装置は該アクセス履歴情報又は該サブスクリプション情報に基づき、アクセスネットワーク装置セットを確定する。
【０１７０】
コアネットワーク装置はサブスクリプション情報又はアクセス履歴情報を受信し、且つサブスクリプション情報又はアクセス履歴情報に基づき、端末装置が常に滞在する少なくとも一つのアクセスネットワーク装置を確定し、且つ該少なくとも一つのアクセスネットワーク装置を仮想アクセスネットワーク装置セットとして確定する。
【０１７１】
コアネットワーク装置は該アクセス履歴情報に含まれる情報タイプ（アクセスネットワーク装置の識別子ＩＤ及び時間長情報及び／又はサービスタイプ情報）に応じて、異なるアクセスネットワーク装置セットを確定することができる。
【０１７２】
４４０において、コアネットワーク装置は該少なくとも一つのアクセスネットワーク装置の各アクセスネットワーク装置へネットワーク接続リクエストメッセージを送信する。
【０１７３】
コアネットワーク装置は、端末装置の滞在していたアクセスネットワーク装置セット（即ち少なくとも一つのアクセスネットワーク装置）を確定し且つ該少なくとも一つのアクセスネットワーク装置のうちの各アクセスネットワーク装置へネットワーク接続リクエストメッセージを送信する。該ネットワーク接続リクエストメッセージに端末装置のコンテキスト情報が含まれ、該コンテキスト情報は、端末装置がサービス接続を開始する時に、現在アクセスしているアクセスネットワーク装置が該端末装置のために設定したものであり、且つコアネットワークに送信される。アクセスネットワーク装置セットの各アクセスネットワーク装置は該コンテキスト情報を受信し、記憶することができる。
【０１７４】
４５０において、アクセスネットワーク装置は該ネットワーク接続リクエストメッセージに基づき、該端末装置のためのネットワーク接続を確立する。
【０１７５】
該少なくとも一つのアクセスネットワーク装置のうちの各アクセスネットワーク装置はネットワーク接続リクエストメッセージを受信し、且つ該ネットワーク接続リクエストメッセージに基づき、該端末装置のためのネットワーク接続を確立する。又は、コアネットワーク装置はアクセスネットワーク装置セットの各アクセスネットワーク装置とのネットワーク接続を直接確立することができ、本発明はこれに限定されない。このようにして、アクセスネットワーク装置セットの各アクセスネットワーク装置は端末装置のためのネットワーク接続を予め確立し、これにより、端末装置は該少なくとも一つのアクセスネットワーク装置のカバレッジ内でシームレスに移動することができ、それによって通信遅延を節約する。
【０１７６】
端末装置が移動し、第一のアクセスネットワーク装置（即ちアクセスネットワーク装置セットのいずれかのアクセスネットワーク装置）にアクセスした場合、端末装置は該第一のアクセスネットワーク装置に記憶されたコンテキスト情報によってネットワークと通信を行うことができる。これにより、端末装置は該少なくとも一つのアクセスネットワーク装置のカバレッジ内でシームレスに移動することができ、それによって通信遅延を節約する。
【０１７７】
例えば、端末装置がアクセスネットワーク装置（ＡＮ１）のセル２に滞在し、サービス接続リクエストを開始した場合、ＡＮ１はコアネットワーク装置（ＣＮ）と接続を確立し、且つ端末装置のためのコンテキスト情報を設定する。ＡＮ１は同時に設定されたコンテキスト情報をＣＮに伝送し、ＣＮは保存された端末装置のアクセス履歴情報に基づき、ＡＮ２も端末装置が常に滞在するアクセスネットワーク装置（即ちＡＮ２がアクセスネットワーク装置セットに属する）であることを知り、そのためＣＮはＡＮ２とネットワーク接続を確立し、且つＡＮ２へ端末装置のためのコンテキスト情報を送信し、ＡＮ２は該コンテキスト情報に基づいてネットワークと通信を行う。これにより、端末装置はＡＮ１にカバーされたセルとＡＮ２にカバーされたセルの間でシームレスに移動することができ、それによって通信遅延を節約する。
【０１７８】
理解すべきものとして、上記の対応する情報の具体的な指示方式について上記の各実施例を参照でき、簡潔するために、ここで説明を省略する。
【０１７９】
したがって、本出願の実施例による通信方法では、端末装置はコアネットワーク装置へ該端末装置のアクセス履歴情報又はサブスクリプション情報を送信し、コアネットワーク装置が該アクセス履歴情報又はサブスクリプション情報に基づいて少なくとも一つのアクセスネットワーク装置を含むアクセスネットワーク装置セットを確定し、且つ該アクセスネットワーク装置セットの各アクセスネットワーク装置へネットワーク接続リクエストメッセージを送信するようにし、該アクセスネットワーク装置セットの各アクセスネットワーク装置が該ネットワーク接続リクエストメッセージに基づいて端末装置のためのネットワーク接続を確立し、このようにして、アクセスネットワーク装置セットの各アクセスネットワーク装置は端末装置のためのネットワーク接続を予め確立し、これにより、端末装置は該少なくとも一つのアクセスネットワーク装置のカバレッジ内でシームレスに移動することができ、それによって通信遅延を節約する。
【０１８０】
本出願の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１８１】
以上に本出願の実施例による通信方法を詳細に説明し、以下に本出願の実施例による端末装置を説明する。
【０１８２】
図７は本出願の実施例によるコアネットワーク装置５００の概略ブロック図である。図７に示すように、該コアネットワーク装置５００は、
端末装置がアクセスしたことのある少なくとも一つのアクセスネットワーク装置を含むアクセスネットワーク装置セットを確定するように構成される確定モジュール５１０と、
該確定モジュール５１０によって確定された該アクセスネットワーク装置セットの各アクセスネットワーク装置と該端末装置のためのネットワーク接続を確立するように構成される処理モジュール５２０とを備える。
【０１８３】
したがって、本発明の実施例によるコアネットワーク装置では、少なくとも一つのアクセスネットワーク装置を含むアクセスネットワーク装置セットを確定し、該アクセスネットワーク装置セットの各アクセスネットワーク装置と該端末装置のためのネットワーク接続を確立し、このようにしてアクセスネットワーク装置セットの各アクセスネットワーク装置は端末装置のためのネットワーク接続を予め確立し、これにより、端末装置の該少なくとも一つのアクセスネットワーク装置のカバレッジ内での移動における通信遅延を節約する。
【０１８４】
選択可能に、該処理モジュール５２０は具体的に、
該アクセスネットワーク装置セットの各アクセスネットワーク装置へネットワーク接続リクエストメッセージを送信し、該ネットワーク接続リクエストメッセージが該端末装置のためのネットワーク接続を確立することに用いられる。
【０１８５】
選択可能に、該コアネットワーク装置５００はさらに、
該各アクセスネットワーク装置へコンテキスト情報を送信し、該端末装置が該コンテキスト情報によってネットワークと通信を行うようにするように構成される送信モジュールを備える。
【０１８６】
選択可能に、本出願の実施例では、該確定モジュール５１０は具体的に、
該端末装置のアクセス履歴情報又はサブスクリプション情報を取得するように構成される取得ユニットと、
該アクセス履歴情報又は該サブスクリプション情報に基づき、該アクセスネットワーク装置セットを確定するように構成される確定ユニットとを含む。
【０１８７】
本出願の実施例では、選択可能に、該取得ユニットは具体的に、
該端末装置から送信された該アクセス履歴情報又は該サブスクリプション情報を受信するように構成される。
【０１８８】
選択可能に、本出願の実施例では、該取得ユニットは具体的に、
該端末装置のアクセスしているアクセスネットワーク装置から送信された該アクセス履歴情報を受信するように構成される。
【０１８９】
本出願の実施例では、選択可能に、該取得ユニットは具体的に、
該端末装置の位置情報を取得し、
ネットワークトポロジダイアグラムと該端末装置の位置情報に基づき、該アクセス履歴情報を確定するように構成される。
【０１９０】
選択可能に、本出願の実施例では、該アクセス履歴情報がアクセスネットワーク装置のネットワーク統計情報を含み、
ここで、該確定ユニットは具体的に、
該ネットワーク統計情報に基づき、該アクセスネットワーク装置セットを確定するように構成される。
【０１９１】
本出願の実施例では、選択可能に、該ネットワーク統計情報はアクセスネットワーク情報を含む。
【０１９２】
選択可能に、本出願の実施例では、該ネットワーク統計情報はさらに時間長情報及び／又はサービスタイプ情報を含む。
【０１９３】
本出願の実施例では、選択可能に、該サブスクリプション情報は位置エリア情報を含み、
ここで、該確定ユニットは具体的に、
該位置エリア情報に基づき、該アクセスネットワーク装置セットを確定するように構成される。
【０１９４】
本出願の実施例では、選択可能に、該サブスクリプション情報はさらにサービスタイプ情報及び／又は時間情報を含み、
ここで、該確定ユニットは具体的に、
該位置エリア情報及びサービスタイプ情報及び／又は時間情報に基づき、該アクセスネットワーク装置セットを確定するように構成される。
【０１９５】
したがって、本発明の実施例によるコアネットワーク装置では、少なくとも一つのアクセスネットワーク装置を含むアクセスネットワーク装置セットを確定し、該アクセスネットワーク装置セットの各アクセスネットワーク装置へネットワーク接続リクエストメッセージを送信し、該アクセスネットワーク装置セットの各アクセスネットワーク装置が該ネットワーク接続リクエストメッセージに基づいて該端末装置のためのネットワーク接続を確立するようにし、このようにしてアクセスネットワーク装置セットの各アクセスネットワーク装置は端末装置のためのネットワーク接続を予め確立し、これにより、端末装置は該少なくとも一つのアクセスネットワーク装置のカバレッジ内でシームレスに移動することができ、それによって通信遅延を節約する。
【０１９６】
本出願の実施例によるコアネットワーク装置５００は本出願の実施例によるコアネットワーク装置に対応することができ、且つコアネットワーク装置５００における各モジュールの上記と他の動作及び／又は機能はそれぞれ上記の方法の対応するプロセスを実施することに用いられ、簡潔するために、ここで説明を省略する。
【０１９７】
図８は本出願の実施例によるアクセスネットワーク装置６００の概略ブロック図である。図８に示すように、該アクセスネットワーク装置６００は、
コアネットワーク装置からアクセスネットワーク装置セットの各アクセスネットワーク装置に送信されたネットワーク接続リクエストメッセージを受信するように構成され、該アクセスネットワーク装置セットが端末装置がアクセスしたことのある少なくとも一つのアクセスネットワーク装置を含む第一の受信モジュール６１０と、
該第一の受信モジュール６１０によって受信された該ネットワーク接続リクエストメッセージに基づき、端末装置のためのネットワーク接続を確立するように構成される処理モジュール６２０とを備える。
【０１９８】
したがって、本発明の実施例によるアクセスネットワーク装置では、コアネットワーク装置から送信された、端末装置のために設定されたネットワーク接続リクエストメッセージを受信し、且つ該ネットワーク接続リクエストメッセージに基づき、ＵＥのためのネットワーク接続を確立し、このようにしてアクセスネットワーク装置セットの各アクセスネットワーク装置はＵＥのためのネットワーク接続を予め確立し、これにより端末装置の該少なくとも一つのアクセスネットワーク装置のカバレッジ内での移動における通信遅延を節約する。
【０１９９】
選択可能に、該アクセスネットワーク装置６００はさらに、
コンテキスト情報を受信し、該端末装置が該コンテキスト情報によってネットワークと通信を行うようにするように構成される第二の受信モジュールを備える。
【０２００】
したがって、本発明の実施例によるアクセスネットワーク装置では、コアネットワーク装置から送信された、端末装置のために設定されたネットワーク接続リクエストメッセージを受信し、且つ該ネットワーク接続リクエストメッセージに基づき、ＵＥのためのネットワーク接続を確立し、このようにしてアクセスネットワーク装置セットの各アクセスネットワーク装置はＵＥのためのネットワーク接続を予め確立し、これにより端末装置は該少なくとも一つのアクセスネットワーク装置のカバレッジ内でシームレスに移動することができ、それによって通信遅延を節約する。
【０２０１】
本出願の実施例によるアクセスネットワーク装置６００は本出願の実施例によるアクセスネットワーク装置に対応することができ、且つアクセスネットワーク装置６００における各モジュールの上記と他の操作及び／又は機能はそれぞれ上記の方法の対応するプロセスを実施することに用いられ、簡潔するために、ここで説明を省略する。
【０２０２】
図９は本出願の実施例による端末装置７００の概略ブロック図である。図９に示すように、該端末装置７００は、
該端末装置のアクセス履歴情報又はサブスクリプション情報を取得するように構成される取得モジュール７１０と、
該取得モジュール７１０によって取得された該アクセス履歴情報又は該サブスクリプション情報をコアネットワーク装置に送信し、該コアネットワーク装置が該アクセス履歴情報又は該サブスクリプション情報に基づいて該アクセスネットワーク装置セットを確定し且つ該アクセスネットワーク装置セットの各アクセスネットワーク装置と該端末装置のためのネットワーク接続を確立するようにするように構成され、ここで、該アクセスネットワーク装置セットが該端末装置がアクセスしたことのある少なくとも一つのアクセスネットワーク装置を含む送信モジュール７２０とを備える。
【０２０３】
したがって、本発明の実施例による端末装置では、コアネットワーク装置へ該端末装置のアクセス履歴情報又はサブスクリプション情報を送信し、コアネットワーク装置が該アクセス履歴情報又はサブスクリプション情報に基づいて少なくとも一つのアクセスネットワーク装置を含むアクセスネットワーク装置セットを確定し、且つ該アクセスネットワーク装置セットの各アクセスネットワーク装置と端末装置のためのネットワーク接続を確立するようにし、このようにして、アクセスネットワーク装置セットの各アクセスネットワーク装置は端末装置のためのネットワーク接続を予め確立し、これにより、端末装置の該少なくとも一つのアクセスネットワーク装置のカバレッジ内での移動における通信遅延を節約する。
【０２０４】
選択可能に、本発明の一つの実施例では、該端末装置７００はさらに、
該アクセスネットワーク装置セットの第一のアクセスネットワーク装置によって受信されたコンテキスト情報によって該ネットワークと通信を行うように構成される処理モジュールを備える。
【０２０５】
選択可能に、本出願の実施例では、該送信モジュール７２０は具体的に、
該端末装置がアクセスしているアクセスネットワーク装置を介して該コアネットワーク装置へ該アクセス履歴情報又は該サブスクリプション情報を送信するように構成される。
【０２０６】
本出願の実施例では、選択可能に、該アクセス履歴情報はアクセスネットワーク装置のネットワーク統計情報を含む。
【０２０７】
選択可能に、本出願の実施例では、該送信モジュール７２０は具体的に、
該コアネットワーク装置へ非アクセス層（ＮＡＳ）層シグナリングリクエストメッセージを送信するように構成され、該ＮＡＳ層シグナリングリクエストメッセージに該アクセス履歴情報が含まれる。
【０２０８】
選択可能に、該ネットワーク統計情報はアクセスネットワーク情報を含む。
【０２０９】
本出願の実施例では、選択可能に、該ネットワーク統計情報はさらに時間長情報及び／又はサービスタイプ情報を含む。
【０２１０】
選択可能に、本出願の実施例では、該サブスクリプション情報は位置エリア情報を含む。
【０２１１】
本出願の実施例では、選択可能に、該送信モジュール７２０は具体的に、
エリア更新リクエストメッセージ、ＮＡＳ層シグナリングリクエストメッセージ又はアタッチリクエストメッセージによって該コアネットワーク装置へ該サブスクリプション情報を送信するように構成される。
【０２１２】
選択可能に、本出願の実施例では、該サブスクリプション情報はさらにサービスタイプ情報及び／又は時間情報を含む。
【０２１３】
したがって、本発明の実施例による端末装置では、コアネットワーク装置へ該端末装置のアクセス履歴情報又はサブスクリプション情報を送信し、コアネットワーク装置が該アクセス履歴情報又はサブスクリプション情報に基づいて少なくとも一つのアクセスネットワーク装置を含むアクセスネットワーク装置セットを確定し、且つ該アクセスネットワーク装置セットの各アクセスネットワーク装置へ端末装置のために設定されたネットワーク接続リクエストメッセージを送信するようにし、該アクセスネットワーク装置セットの各アクセスネットワーク装置は該ネットワーク接続リクエストメッセージに基づいて端末装置のためのネットワーク接続を確立し、このようにして、アクセスネットワーク装置セットの各アクセスネットワーク装置は端末装置のためのネットワーク接続を予め確立し、これにより、端末装置は該少なくとも一つのアクセスネットワーク装置のカバレッジ内でシームレスに移動することができ、それによって通信遅延を節約する。
【０２１４】
本出願の実施例による端末装置７００は本出願の実施例による端末装置に対応することができ、且つ端末装置７００における各モジュールの上記と他の動作及び／又は機能はそれぞれ上記の方法の対応するプロセスを実施することに用いられ、簡潔するために、ここで説明を省略する。
【０２１５】
図１０は本出願の実施例による通信システムの概略ブロック図である。該通信システム８００は、
上記の本発明の実施例によるコアネットワーク装置５００、本発明の実施例によるアクセスネットワーク装置６００と本発明の実施例による端末装置７００を備える。
【０２１６】
図１１に本出願の実施例によるコアネットワーク装置の構造が示され、少なくとも一つのプロセッサ９０２（例えばコンピューティング及び処理機能を備えた汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）など）を備え、プロセッサがＯＢＵ装置内の各モジュールとデバイスを管理及びスケジューリングする。さらに少なくとも一つのネットワークインタフェース９０５又は他の通信インタフェース、メモリ９０６と少なくとも一つのバスシステム９０３を備える。ＯＢＵの各部材はバスシステム９０３によって結合され、ここでバスシステム９０３はデータバス、電源バス、制御バスと状態信号バスなどを含む可能性があるが、明確に説明するために、図面における様々なバスはバスシステム９０３として表記される。
【０２１７】
上記の本出願の実施例で開示された方法はプロセッサ９０２に応用されてもよく、又はメモリ９０６に記憶された実行可能モジュール、例えばコンピュータプログラムを実行することに用いられる。メモリ９０６は高速ランダムアクセスメモリ（ＲＡＭ：  Ｒａｎｄｏｍ  Ａｃｃｅｓｓ  Ｍｅｍｏｒｙ）を含む可能性があり、不揮発性メモリ（ｎｏｎ−ｖｏｌａｔｉｌｅ  ｍｅｍｏｒｙ）を含む可能性もあり、メモリは読み出し専用メモリおよびランダムアクセスメモリを含み、且つプロセッサへ必要なシグナリング又はデータ、プログラムなどを提供することができる。メモリの一部はさらに不揮発性ラインランダムアクセスメモリ（ＮＶＲＡＭ）を含むことができる。少なくとも一つのネットワークインタフェース９０５（有線又は無線であってもよい）によって少なくとも一つの他のネットワーク要素との通信接続を実現する。
【０２１８】
いくつかの実施形態では、メモリ９０６がプログラム９０６１が記憶され、プロセッサ９０６は以下の動作を実行するためのプログラム９０６１を実行する：
端末装置がアクセスしたことのある少なくとも一つのアクセスネットワーク装置を含むアクセスネットワーク装置セットを確定し、
該アクセスネットワーク装置セットの各アクセスネットワーク装置と該端末装置のためのネットワーク接続を確立する。
【０２１９】
選択可能に、プロセッサ９０２は具体的に、
ネットワークインタフェース９０５を介して該アクセスネットワーク装置セットの各アクセスネットワーク装置へネットワーク接続リクエストメッセージを送信するように構成され、該ネットワーク接続リクエストメッセージが該端末装置のためのネットワーク接続を確立することに用いられる。
【０２２０】
選択可能に、プロセッサ９０２は具体的に、
ネットワークインタフェース９０５を介してコンテキスト情報を受信し、該端末装置が該コンテキスト情報によってネットワークと通信を行うようにするように構成される。
【０２２１】
選択可能に、プロセッサ９０２は具体的に、
ネットワークインタフェース９０５を介して該端末装置のアクセス履歴情報又はサブスクリプション情報を取得し、
該アクセス履歴情報又は該サブスクリプション情報に基づき、該アクセスネットワーク装置セットを確定するように構成される。
【０２２２】
選択可能に、プロセッサ９０２は具体的に、
ネットワークインタフェース９０５を介して該端末装置から送信された該アクセス履歴情報又は該サブスクリプション情報を受信するように構成される。
【０２２３】
選択可能に、プロセッサ９０２は具体的に、
ネットワークインタフェース９０５を介して該端末装置の位置情報を取得し、
ネットワークトポロジダイアグラムと該端末装置の位置情報に基づき、該アクセス履歴情報を確定するように構成される。
【０２２４】
選択可能に、該アクセス履歴情報がアクセスネットワーク装置のネットワーク統計情報を含み、
プロセッサ９０２は具体的に、
該ネットワーク統計情報に基づき、該アクセスネットワーク装置セットを確定するように構成される。
【０２２５】
選択可能に、該ネットワーク統計情報はアクセスネットワーク情報を含む。
【０２２６】
選択可能に、該ネットワーク統計情報はさらに時間長情報及び／又はサービスタイプ情報を含む。
【０２２７】
選択可能に、該サブスクリプション情報が位置エリア情報を含み、
プロセッサ９０２は具体的に、
該位置エリア情報に基づき、該アクセスネットワーク装置セットを確定するように構成される。
【０２２８】
選択可能に、該サブスクリプション情報がさらにサービスタイプ情報及び／又は時間情報を含み、
プロセッサ９０２は具体的に、
該位置エリア情報及びサービスタイプ情報及び／又は時間情報に基づき、該アクセスネットワーク装置セットを確定するように構成される。
【０２２９】
本出願の実施例による以上の技術的解決策から分かるように、少なくとも一つのアクセスネットワーク装置を含むアクセスネットワーク装置セットを確定し、且つ該アクセスネットワーク装置セットの各アクセスネットワーク装置と該端末装置のためのネットワーク接続を確立し、このようにしてアクセスネットワーク装置セットの各アクセスネットワーク装置は端末装置のためのネットワーク接続を予め確立し、これにより、端末装置は該少なくとも一つのアクセスネットワーク装置のカバレッジ内でシームレスにシームレスに移動することができ、それによって通信遅延を節約する。
【０２３０】
図１２に本出願の実施例によるアクセスネットワーク装置の構造が示され、少なくとも一つのプロセッサ１００２（例えばコンピューティング及び処理機能を備えた汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）など）を備え、プロセッサがＯＢＵ装置内の各モジュールとデバイスを管理及びスケジューリングする。さらに少なくとも一つのネットワークインタフェース１００５又は他の通信インタフェース、メモリ１００６と少なくとも一つのバスシステム１００３を備える。ＯＢＵの各部材はバスシステム１００３によって結合され、ここでバスシステム１００３はデータバス、電源バス、制御バスと状態信号バスなどを含む可能性があるが、明確に説明するために、図面における様々なバスはバスシステム１００３として表記される。
【０２３１】
上記の本出願の実施例で開示された方法はプロセッサ１００２に応用されてもよく、又はメモリ１００６に記憶された実行可能モジュール、例えばコンピュータプログラムを実行することに用いられる。メモリ１００６は高速ランダムアクセスメモリ（ＲＡＭ：  Ｒａｎｄｏｍ  Ａｃｃｅｓｓ  Ｍｅｍｏｒｙ）を含む可能性があり、不揮発性メモリ（ｎｏｎ−ｖｏｌａｔｉｌｅ  ｍｅｍｏｒｙ）を含む可能性もあり、メモリは読み出し専用メモリおよびランダムアクセスメモリを含み、且つプロセッサへ必要なシグナリング又はデータ、プログラムなどを提供することができる。メモリの一部はさらに不揮発性ラインランダムアクセスメモリ（ＮＶＲＡＭ）を含むことができる。少なくとも一つのネットワークインタフェース１００５（有線又は無線であってもよい）によって少なくとも一つの他のネットワーク要素との通信接続を実現する。
【０２３２】
いくつかの実施形態では、メモリ１０６がプログラム１０６１が記憶され、プロセッサ１００６は以下の動作を実行するためのプログラム１００６１を実行する：
ネットワークインタフェース１０５を介し、コアネットワーク装置からアクセスネットワーク装置セットの各アクセスネットワーク装置に送信されたネットワーク接続リクエストメッセージを受信し、該アクセスネットワーク装置セットが該端末装置がアクセスしたことのある少なくとも一つのアクセスネットワーク装置を含み、
該ネットワーク接続リクエストメッセージに基づき、該端末装置のためのネットワーク接続を確立する。
【０２３３】
選択可能に、プロセッサ１００２はさらに、
コンテキスト情報を受信し、該端末装置が該コンテキスト情報によってネットワークと通信するようにするように構成される。
【０２３４】
本出願の実施例による以上の技術的解決策から分かるように、コアネットワーク装置から送信されたネットワーク接続リクエストメッセージを受信し、且つ該ネットワーク接続リクエストメッセージに基づき、端末装置のためのネットワーク接続を確立し、このようにしてアクセスネットワーク装置セットの各アクセスネットワーク装置は端末装置のためのネットワーク接続を予め確立し、これにより端末装置は該少なくとも一つのアクセスネットワーク装置のカバレッジ内でシームレスに移動することができ、それによって通信遅延を節約する。
【０２３５】
図１３に本出願の実施例による端末装置の構造が示され、少なくとも一つのプロセッサ１１０２（例えばコンピューティング及び処理機能を備えた汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）など）を備え、プロセッサがＯＢＵ装置内の各モジュールとデバイスを管理及びスケジューリングする。さらに少なくとも一つのネットワークインタフェース１１０５又は他の通信インタフェース、メモリ１１０６と少なくとも一つのバスシステム１１０３を備える。ＯＢＵの各部材はバスシステム１１０３によって結合され、ここでバスシステム１１０３はデータバス、電源バス、制御バスと状態信号バスなどを含む可能性があるが、明確に説明するために、図面における様々なバスはバスシステム１１０３として表記される。
【０２３６】
上記の本出願の実施例で開示された方法はプロセッサ１１０２に応用されてもよく、又はメモリ１１０６に記憶された実行可能モジュール、例えばコンピュータプログラムを実行することに用いられる。メモリ１１０６は高速ランダムアクセスメモリ（ＲＡＭ：  Ｒａｎｄｏｍ  Ａｃｃｅｓｓ  Ｍｅｍｏｒｙ）を含む可能性があり、不揮発性メモリ（ｎｏｎ−ｖｏｌａｔｉｌｅ  ｍｅｍｏｒｙ）を含む可能性もあり、メモリは読み出し専用メモリおよびランダムアクセスメモリを含み、且つプロセッサへ必要なシグナリング又はデータ、プログラムなどを提供することができる。メモリの一部はさらに不揮発性ラインランダムアクセスメモリ（ＮＶＲＡＭ）を含むことができる。少なくとも一つのネットワークインタフェース１１００５（有線又は無線であってもよい）によって少なくとも一つの他のネットワーク要素との通信接続を実現する。
【０２３７】
いくつかの実施形態では、メモリ１１０６にプログラム１１０６１が記憶され、プロセッサ１１０２は以下の動作を実行するためのプログラム１１０６１を実行する：
ネットワークインタフェース１１０５を介して該端末装置のアクセス履歴情報又はサブスクリプション情報を取得することと、
ネットワークインタフェース１１０５を介してコアネットワーク装置へ該アクセス履歴情報又は該サブスクリプション情報を送信し、該コアネットワーク装置が該アクセス履歴情報と該サブスクリプション情報に基づいて該アクセスネットワーク装置セットを確定し且つ該アクセスネットワーク装置セットの各アクセスネットワークと端末装置のためのネットワーク接続を確立するようにし、ここで、該アクセスネットワーク装置セットが該端末装置がアクセスしたことのある少なくとも一つのアクセスネットワーク装置を含む。
【０２３８】
選択可能に、プロセッサ１１０２は具体的に、
該アクセスネットワーク装置セットの第一のアクセスネットワーク装置によって受信されたコンテキスト情報によってネットワークと通信するように構成される。
【０２３９】
選択可能に、プロセッサ１１０２は具体的に、
該端末装置がアクセスしているアクセスネットワーク装置を介して該コアネットワーク装置へ該アクセス履歴情報又は該サブスクリプション情報を送信するように構成される。
【０２４０】
選択可能に、該アクセス履歴情報はアクセスネットワーク装置のネットワーク統計情報を含む。
【０２４１】
選択可能に、プロセッサ１１０２は具体的に、
ネットワークインタフェース１１０５を介して該コアネットワーク装置へ非アクセス層（ＮＡＳ）層シグナリングリクエストメッセージを送信するように構成され、該ＮＡＳシグナリングリクエストメッセージに該アクセス履歴情報が含まれる。
【０２４２】
選択可能に、該ネットワーク統計情報はアクセスネットワーク情報を含む。
【０２４３】
選択可能に、該ネットワーク統計情報はさらに時間長情報及び／又はサービスタイプ情報を含む。
【０２４４】
選択可能に、該サブスクリプション情報は位置エリア情報を含む。
【０２４５】
選択可能に、プロセッサ１１０２は具体的に
ネットワークインタフェース１１０５を介してエリア更新リクエストメッセージ、ＮＡＳ層シグナリングリクエストメッセージ又はアタッチリクエストメッセージによって該コアネットワーク装置へ該サブスクリプション情報を送信するように構成される。
【０２４６】
選択可能に、該サブスクリプション情報はさらにサービスタイプ情報及び／又は時間情報を含む。
【０２４７】
本出願の実施例による以上の技術的解決策から分かるように、コアネットワーク装置へ該端末装置のアクセス履歴情報又はサブスクリプション情報を送信し、コアネットワーク装置が該アクセス履歴情報又はサブスクリプション情報に基づいて少なくとも一つのアクセスネットワーク装置を含むアクセスネットワーク装置セットを確定し且つ該アクセスネットワーク装置セットの各アクセスネットワーク装置と端末装置のためのネットワーク接続を確立し、このようにして、アクセスネットワーク装置セットの各アクセスネットワーク装置は端末装置のためのネットワーク接続を予め確立し、こにより端末装置は該少なくとも一つのアクセスネットワーク装置のカバレッジ内でシームレスに移動することができ、それによって通信遅延を節約する。
【０２４８】
本出願の実施例はさらにコンピュータ記憶媒体を提供し、該コンピュータ記憶媒体が上記のいずれかの方法を示すためのプログラム命令を記憶することができる。
【０２４９】
選択可能に、該記憶媒体は具体的にメモリ９０６、メモリ１００６又はメモリ１１０６であってもよい。
【０２５０】
理解すべきものとして、本明細書では用語「及び／又は」は、関連するオブジェクトの関連関係を記述するためのものだけであり、３種類の関係が存在してもよいことを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２５１】
理解すべきものとして、本出願の様々な実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではない。
【０２５２】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２５３】
当業者は便利且つ簡潔で説明するために、上述したシステム、装置とユニットの具体的な動作プロセスについて上記方法の実施例における対応するプロセスを参照でき、ここで説明を省略することを明確に理解することができる。
【０２５４】
本出願が提供するいくつかの実施例では、開示されるシステム、装置及び方法は他の方式により実現されてもよいと理解すべきである。例えば、上述した装置の実施例は例示的なものだけであり、例えば、該ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２５５】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２５６】
また、本出願の各実施例における各機能ユニットは一つの処理ユニットに統合されてもよく、個々のユニットは単独で物理的に存在してもよく、２つ又は２つ以上のユニットは一つのユニットに統合されてもよい。上記の統合されたユニットはハードウェアの形態で実現されてもよいし、ソフトウェアの形態で実現されてもよい。
【０２５７】
前記統合されたユニットがソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２５８】
以上は、本出願の具体的な実施形態だけであるが、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲によってに準拠するべきである。
【図１】
2019523570.tif 000003
【図２】
2019523570.tif 000004
【図３】
2019523570.tif 000005
【図４】
2019523570.tif 000006
【図５】
2019523570.tif 000007
【図６】
2019523570.tif 000008
【図７】
2019523570.tif 000009
【図８】
2019523570.tif 000010
【図９】
2019523570.tif 000011
【図１０】
2019523570.tif 000012
【図１１】
2019523570.tif 000013
【図１２】
2019523570.tif 000014
【図１３】
2019523570.tif 000015
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
通信方法であって、
コアネットワーク装置が端末装置がアクセスしたことのある少なくとも一つのアクセスネットワーク装置を含むアクセスネットワーク装置セットを確定することと、
前記コアネットワーク装置が前記アクセスネットワーク装置セットの各アクセスネットワーク装置と前記端末装置のためのネットワーク接続を確立することとを含む、前記通信方法。
【請求項２】
前記コアネットワーク装置が前記アクセスネットワーク装置セットの各アクセスネットワーク装置と前記端末装置のためのネットワーク接続を確立することは、
前記コアネットワーク装置が前記各アクセスネットワーク装置へネットワーク接続リクエストメッセージを送信し、前記各アクセスネットワーク装置が前記ネットワーク接続リクエストメッセージに基づいて前記端末装置のための前記ネットワーク接続を確立するようにすることを含むことを特徴とする
請求項１に記載の通信方法。
【請求項３】
前記通信方法はさらに、
前記コアネットワーク装置が前記各アクセスネットワーク装置へコンテキスト情報を送信し、前記端末装置が前記コンテキスト情報によってネットワークと通信を行うようにすることを含むことを特徴とする
請求項１又は２に記載の通信方法。
【請求項４】
前記コアネットワーク装置がアクセスネットワーク装置セットを確定することは、
前記コアネットワーク装置が前記端末装置のアクセス履歴情報又はサブスクリプション情報を取得することと、
前記コアネットワーク装置が前記アクセス履歴情報又は前記サブスクリプション情報に基づき、前記アクセスネットワーク装置セットを確定することとを含むことを特徴とする
請求項１−３のいずれか一項に記載の通信方法。
【請求項５】
前記コアネットワーク装置が前記端末装置のアクセス履歴情報又はサブスクリプション情報を取得することは、
前記コアネットワーク装置が前記端末装置から送信された前記アクセス履歴情報又は前記サブスクリプション情報を受信すること、又は、
前記コアネットワーク装置が前記端末装置のアクセスしているアクセスネットワーク装置から送信された前記アクセス履歴情報を受信すること、を含むことを特徴とする
請求項４に記載の通信方法。
【請求項６】
前記コアネットワーク装置が前記端末装置のアクセス履歴情報を取得することは、
前記コアネットワーク装置が前記端末装置の位置情報を取得することと、
前記コアネットワーク装置がネットワークトポロジダイアグラムと前記端末装置の位置情報に基づき、前記アクセス履歴情報を確定することとを含むことを特徴とする
請求項４に記載の通信方法。
【請求項７】
前記アクセス履歴情報がアクセスネットワーク装置のネットワーク統計情報を含み、
ここで、前記コアネットワーク装置が前記アクセス履歴情報に基づき、前記アクセスネットワーク装置セットを確定することは、
前記コアネットワーク装置が前記ネットワーク統計情報に基づき、前記アクセスネットワーク装置セットを確定することを含み、
任意選択で、前記ネットワーク統計情報はさらに時間長情報及び／又はサービスタイプ情報を含むことを特徴とする
請求項４−６のいずれか一項に記載の通信方法。
【請求項８】
前記サブスクリプション情報は位置エリア情報を含み、
ここで、前記コアネットワーク装置が前記サブスクリプション情報に基づき、前記アクセスネットワーク装置セットを確定することは、
前記コアネットワーク装置が前記位置エリア情報に基づき、前記アクセスネットワーク装置セットを確定することを含むことを特徴とする
請求項４又は５に記載の通信方法。
【請求項９】
前記サブスクリプション情報はさらにサービスタイプ情報及び／又は時間情報を含み、
ここで、前記コアネットワーク装置が前記位置エリア情報に基づき、前記アクセスネットワーク装置セットを確定することは、
前記コアネットワーク装置が前記位置エリア情報及びサービスタイプ情報及び／又は時間情報に基づき、前記アクセスネットワーク装置セットを確定することを含むことを特徴とする
請求項８に記載の通信方法。
【請求項１０】
通信方法であって、
端末装置が前記端末装置のアクセス履歴情報又はサブスクリプション情報を取得することと、
前記端末装置がコアネットワーク装置へ前記アクセス履歴情報又は前記サブスクリプション情報を送信し、前記コアネットワーク装置が前記アクセス履歴情報又は前記サブスクリプション情報に基づいてアクセスネットワーク装置セットを確定し、且つ前記アクセスネットワーク装置セットの各アクセスネットワーク装置と前記端末装置のためのネットワーク接続を確立するようにし、ここで、前記アクセスネットワーク装置セットが前記端末装置がアクセスしたことのある少なくとも一つのアクセスネットワーク装置を含むこととを含む、前記通信方法。
【請求項１１】
前記通信方法はさらに、
前記端末装置が前記アクセスネットワーク装置セットの第一のアクセスネットワーク装置によって受信されたコンテキスト情報によってネットワークと通信を行うことを含むことを特徴とする
請求項１０に記載の通信方法。
【請求項１２】
前記端末装置がコアネットワーク装置へ前記アクセス履歴情報又は前記サブスクリプション情報を送信することは、
前記端末装置が前記端末装置のアクセスしているアクセスネットワーク装置を介して前記コアネットワーク装置へ前記アクセス履歴情報又は前記サブスクリプション情報を送信することを含むことを特徴とする
請求項１０又は１１に記載の通信方法。
【請求項１３】
前記アクセス履歴情報はアクセスネットワーク装置のネットワーク統計情報を含み、
前記端末装置がコアネットワーク装置へ前記アクセス履歴情報を送信することは、
前記端末装置が前記コアネットワーク装置へ非アクセス層（ＮＡＳ層）シグナリングリクエストメッセージを送信し、前記ＮＡＳ層シグナリングリクエストメッセージに前記アクセス履歴情報が含まれること、を含み、
前記ネットワーク統計情報はさらに時間長情報及び／又はサービスタイプ情報を含むことを特徴とする
請求項１０−１２のいずれか一項に記載の通信方法。
【請求項１４】
前記サブスクリプション情報は位置エリア情報を含み、
任意選択で、前記サブスクリプション情報はさらにサービスタイプ情報及び／又は時間情報を含み、
前記端末装置がコアネットワーク装置へ前記サブスクリプション情報を送信することは、
前記端末装置がエリア更新リクエストメッセージ、ＮＡＳ層シグナリングリクエストメッセージ又はアタッチリクエストメッセージによって前記コアネットワーク装置へ前記サブスクリプション情報を送信することを含むことを特徴とする
請求項１０−１２のいずれか一項に記載の通信方法。
【請求項１５】
通信装置であって、
プロセッサと、
前記プロセッサによって実行される場合、前記プロセッサが請求項１−９のいずれか一項に記載の方法、又は請求項１０−１４のいずれか一項に記載の方法を実施する命令が記憶されるメモリと、を含む、
前記通信装置。
【国際調査報告】
2019523570.tif 000016
2019523570.tif 000017
2019523570.tif 000018
2019523570.tif 000019